(57)【要約】【課題】不正解錠に対する十分な防御性能の確保と、メンテナンス性の向上との両立を図ることのできる遊技機を提供する。【解決手段】パチンコ機１０は、外枠１１と、これに対し開閉可能に支持された内枠１２と、外枠１１に対し内枠１２を施錠する施錠装置とを備えている。施錠装置は、鍵により操作されるシリンダ錠７００と、シリンダ錠７００の動作に連動して、内枠１２の開放を規制する係止位置と、内枠１２の開放を許容する非係止位置とに摺動変位する内鉤部材とを備えている。さらに、外枠１１は、係合状態となる内鉤部材を囲む遮蔽部材を備えている。遮蔽部材の一部に切離可能な蓋部を備えることにより、当該遮蔽部材に開口部を形成可能とした。【選択図】      図１
2010005369.tif 000002
【特許請求の範囲】
【請求項１】
外郭を構成する固定枠と、
前記固定枠の前面側にて開閉可能に支持された扉体と、
前記扉体に設けられ、前記固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
前記被係合部材及びこれに係合される前記鉤部材を囲む遮蔽部材を備えるとともに、
前記遮蔽部材の一部に切離し又は切開き可能な蓋部を備えることにより、当該遮蔽部材に開口部を形成可能とし、
前記開口部を介して、前記鉤部材と前記被係合部材との係合状態の解除操作を可能としたことを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、メンテナンス等の観点から遊技機本体（内枠）が固定枠（外枠）に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、固定枠に設けられた複数の被係合部材に対しそれぞれ係脱可能に設けられた複数の鉤部材と、鍵によるシリンダ錠の解錠操作に応じて複数の鉤部材を連動させる摺動杆とを備えたものが知られている。そして、施錠状態では各鉤部材がそれぞれ対応する被係合部材に係合することで遊技機本体が固定枠に対し開放不能となる。他方、専用の鍵でシリンダ錠を解錠操作することにより摺動杆を介して各鉤部材が被係合部材から同時に離脱し、遊技機本体が開放可能となる。
【０００３】
近年、遊技ホールでは、営業中に遊技機本体を不正に解錠し、本体裏側に設けられた制御機器を不正に操作したり交換する等して、多くの遊技媒体を獲得する不正行為が行われることもある。このような不正解錠は、通常、遊技機本体と固定枠との隙間から針金等の線材を差込み、当該線材を施錠装置の鉤部材に引っ掛けて解錠方向に動かすことにより行われる。いずれか１つの鉤部材に対して不正な解錠操作が行われると、その動作が摺動杆を介して他の鉤部材に伝達され、全鉤部材が連動して被係合部材から離脱し、遊技機本体が開放可能となる。
【０００４】
このような不正解錠操作を防止するため、近年では、例えば被係合部材及びこれに係合した鉤部材を囲む防護カバーを備えた遊技機も提案されている（例えば特許文献１参照）。このようにすれば、遊技機前面側から専用の鍵でシリンダ錠を解錠操作しない限り、遊技機本体の開放を行うことは極めて困難となる。
【特許文献１】特開２００１−１２０８１７号公報
【発明の開示】
【発明が解決しようとする課題】
【０００５】
しかしながら、遊技ホールにおいては、遊技機の導入時やシリンダ錠の故障時など様々な場面において、シリンダ錠自体の交換や、遊技ホールで使用する鍵に合わせたシリンダ錠のキーコード（鍵穴形状）の変更などが行われる。一般的なシリンダ錠では、例えば所定のリセットピンを押圧した状態で新たに設定したい鍵を鍵穴に挿入し回動操作するなど、所定操作を行うことで、新たに設定したい鍵に合ったキーコードとすることができる。
【０００６】
ところが、シリンダ錠の故障時や鍵の紛失時などは勿論のこと、シリンダ錠の交換やキーコードの変更が適正に行われず、キーコードの設定ミスや設定し忘れ、シリンダ錠の不良などの問題を抱えたまま、遊技機本体を閉鎖した場合には、シリンダ錠を操作して遊技機本体を開放することができなくなる。
【０００７】
このような不具合が発生した場合、上記防護カバーが設けられていると、従来の対処方法のように遊技機背面側から鉤部材を手で動かして被係合部材との係合状態を解除することもできないため、遊技機本体を全く開放することができない状況に陥るおそれがある。
【０００８】
これに対し、特開２００１−１２０８１７号公報に記載された発明（図３参照）のように防護カバーが遮蔽位置と非遮蔽位置との間で回動自在に設けられていると、不正解錠に対する防御性能が低下する。
【０００９】
尚、かかる課題は、パチンコ機に限らず、扉体と固定枠とを施錠する施錠機構を備えた他の遊技機にも該当する問題である。
【００１０】
本発明は、上記例示した問題点などを解決するためになされたものであり、その目的は、不正解錠に対する十分な防御性能の確保と、メンテナンス性の向上との両立を図ることのできる遊技機を提供することにある。
【課題を解決するための手段】
【００１１】
上記の目的を達成するため、本発明に係る遊技機は、
外郭を構成する固定枠と、
前記固定枠の前面側にて開閉可能に支持された扉体と、
前記扉体に設けられ、前記固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
前記被係合部材及びこれに係合される前記鉤部材を囲む遮蔽部材を備えるとともに、
前記遮蔽部材の一部に切離し又は切開き可能な蓋部を備えることにより、当該遮蔽部材に開口部を形成可能とし、
前記開口部を介して、前記鉤部材と前記被係合部材との係合状態の解除操作を可能としたことをその要旨としている。
【発明の効果】
【００１２】
本発明の遊技機によれば、不正解錠に対する十分な防御性能の確保と、メンテナンス性の向上との両立を図ることができるという優れた効果を奏する。
【発明を実施するための最良の形態】
【００１３】
〔第１実施形態〕
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００１４】
図１乃至図４に示すように、パチンコ機１０は、当該パチンコ機１０の外郭を構成する固定枠としての外枠１１を備えており、この外枠１１の一側部に扉体としての内枠１２が開閉可能に支持されている。
【００１５】
ここで、外枠１１について図５を参照しつつ説明する。図５は外枠１１の全体を示す斜視図である。本実施形態における外枠１１は、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１６】
左辺枠構成部１１ｃ及び右辺枠構成部１１ｄは、原料となるアルミニウム合金を高温・高圧下のもと所定断面形状で押出形成し、この押出成形材を所定寸法に切断し、切削加工等によりネジ止め用のネジ孔など細かい箇所を加工して得られる。従って、左辺枠構成部１１ｃ及び右辺枠構成部１１ｄは、それぞれ長手方向に略一様な断面形状となっている。
【００１７】
また、左辺枠構成部１１ｃの上下端部には、それぞれ上ヒンジ８１及び下ヒンジ８２が取着されている。当該上ヒンジ８１及び下ヒンジ８２にて、内枠１２の上下部が回動可能に支持されており、これにより内枠１２が開閉可能となる。
【００１８】
また、右辺枠構成部１１ｄの内側には、後述する施錠装置６００の内鉤部材６１３，６１４に対応して、上下一対の受け金具８３が取付けられている。そして、内枠１２の閉時においては、各受け金具８３に対して内鉤部材６１３，６１４が係止されることにより、内枠１２の開放が規制される（図２２等参照）。
【００１９】
なお、本実施形態では、上記ヒンジ８１，８２や受け金具８３として、アルミニウム合金製の外枠１１本体よりも剛性の高いステンレス合金等の鋼鉄製のものが採用されている。
【００２０】
さらに、外枠１１の下辺枠構成部１１ｂには、樹脂製の幕板飾り８５が取着されている。幕板飾り８５の上面奥部には、上方に突出するリブ８８が一体形成されている。また、外枠１１の右辺枠構成部１１ｄの内側面前側には複数のリブ８９が形成されている。これらリブ８８，８９により、外枠１１と内枠１２の隙間からの線材等の進入を防止している。加えて、右辺枠構成部１１ｄには、その後端部から外枠１１内側へ向け突出した延出壁部９０が形成されている。これにより、外枠１１裏側から受け金具８３への線材等の進入を防止している。
【００２１】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００２２】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２３】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２４】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２５】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００２６】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００２７】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２８】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００２９】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００３０】
また、前面枠セット１４の右側部背面側には、後述する施錠装置６００の前鉤部材６１６，６１７，６１８に対応して、３つの受け金具９１，９２，９３が上下方向に沿って設けられている（図４参照）。そして、前面枠セット１４の閉時においては、前鉤部材６１６，６１７，６１８が受け金具９１，９２，９３に係止されることにより、前面枠セット１４の開放が規制される（図２３等参照）。
【００３１】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３２】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００３３】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３４】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００３５】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３６】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００３７】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００３８】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００３９】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００４０】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００４１】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００４２】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００４３】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００４４】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００４５】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００４６】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００４７】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００４８】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００４９】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００５０】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００５１】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００５２】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００５３】
次に、裏パックユニット２０３の構成を説明する。裏パックユニット２０３は、樹脂成形された裏パック３５１と遊技球の払出機構部３５２とを一体化したものである。
【００５４】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００５５】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００５６】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００５７】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００５８】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００５９】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００６０】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００６１】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００６２】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００６３】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００６４】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００６５】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００６６】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００６７】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００６８】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００６９】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００７０】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００７１】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００７２】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００７３】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００７４】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００７５】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００７６】
次に、内枠１２の施錠機構及び前面枠セット１４の施錠機構について説明する。本実施形態では、内枠１２は外枠１１に対し施錠され、前面枠セット１４は内枠１２に対し施錠される。これら両施錠機構は単一の施錠装置６００（図３等参照）によって具現化されている。後述するように施錠装置６００は、前面枠セット１４の前面側に露出するシリンダ錠７００（図１等参照）を備えており、該シリンダ錠７００の鍵穴７０２に鍵Ｋを挿入し、一方に回動操作することで内枠１２を解錠でき、他方に回動操作することで前面枠セット１４を解錠できるようになっている。
【００７７】
施錠装置６００について図１０乃至図１７を参照して詳しく説明する。ここで、図１０は、施錠装置６００を背面左側から見た斜視図であり、図１１は、施錠装置６００を正面左側から見た斜視図である。但し、図１０，１１では、便宜上、施錠装置６００に関連する外枠１１、内枠１２及び前面枠セット１４の関連部分も併せて模式的に図示している。また、図１２は、施錠装置６００の背面図であり、図１３は右側面図、図１４は左側面図、図１５は正面図である。但し、図１２〜１５では便宜上、後述するカムカバー７４０を省略している。図１６は、背面側から見た施錠装置６００の分解図であり、図１７は、側面側から見た施錠装置６００の分解図である。
【００７８】
施錠装置６００は、内枠１２の背面側左側辺部に沿って取付けられている（図７参照）。施錠装置６００の外郭を構成する縦長の基枠６０１は、内枠１２の背面部に固定される取付部としての取付板６０２と、当該取付板６０２の内枠１２内方側（窓孔３９側）の端縁から後方に突出した支持部としての支持板６０３とを備えており、これらが一体となって横断面略Ｌ字状をなしている。
【００７９】
但し、取付板６０２の内枠１２外方側縁部には、後方へ突出したフランジ部６０２ａが略全長にわたって設けられ、支持板６０３の後縁部には、内枠１２外方側へ突出したフランジ部６０３ａが複数箇所に設けられている。これらフランジ部６０２ａ，６０３ａは、後述する摺動杆６１０や各種鉤部材等の摺動動作の安定性を高めるガイド部としての機能を備えるとともに、基枠６０１内側への線材等の侵入を防ぎ、摺動杆６１０や各種鉤部材等に対する不正な解錠操作を防ぐ機能などを備えている。
【００８０】
取付板６０２には、内枠１２への取付固定用に複数の取付孔６０４が穿設されるとともに、後述する前鉤部材６１６，６１７，６１８の挿通用に上下方向３箇所に略矩形状の鉤挿通孔６０５，６０６，６０７が形成されている。
【００８１】
一方、内枠１２のうち、鉤挿通孔６０５，６０６，６０７に対応する部位には、連通孔９７，９８，９９が形成されている（図６参照）。そして、これら連通孔９７，９８，９９を介して、前鉤部材６１６，６１７，６１８が内枠１２前面側に突出している。
【００８２】
さて、基枠６０１の内側には、摺動部材としての長尺状の摺動杆６１０、内枠１２施錠用の上下一対の内鉤部材６１３，６１４、前面枠セット１４施錠用の３つの前鉤部材６１６，６１７，６１８などが配設されている。なお、施錠装置６００を構成する基枠６０１、摺動杆６１０、内鉤部材６１３，６１４、前鉤部材６１６，６１７，６１８などの各部材は、金属平板をプレス成形等することにより形成されている。内鉤部材６１３，６１４が本実施形態における鉤部材に相当する。
【００８３】
摺動杆６１０は、支持板６０３に沿って配設されており、上下方向に摺動可能となっている。
【００８４】
また、取付板６０２では、シリンダ錠７００の配置位置に対応する所定の上下区間が他部位より左右方向に幅広の幅広部６０２ｂとなっており、支持板６０３では、前記幅広部６０２ｂに対応する上下区間が内枠１２内方側へ膨出した膨出部６０３ｂとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。また、摺動杆６１０も同様に、支持板６０３の膨出部６０３ｂに対応する部位が膨出している。但し、この摺動杆６１０の膨出部６１０ａの形成区間は、支持板６０３の膨出部６０３ｂの形成区間よりも短く設定されており、摺動杆６１０の摺動の妨げとならないようになっている。
【００８５】
ここで、まず内枠１２の施錠機構に関連する部分について詳しく説明する。内枠１２の施錠機構を構成する内鉤部材６１３，６１４は、摺動杆６１０の内枠１２外方側（図１０左手前側）に重畳するように配設されている。
【００８６】
内鉤部材６１３，６１４は、主として摺動杆６１０と重畳する縦長の基部６１３ａ，６１４ａと、当該基部６１３ａ，６１４ａの上部から後方へ延びる突出部６１３ｂ，６１４ｂと、当該突出部６１３ｂ，６１４ｂの後端側において後方へ先細りするように設けられた略三角形状の頭部６１３ｃ，６１４ｃとから構成されている。頭部６１３ｃ，６１４ｃの下端部は、突出部６１３ｂ，６１４ｂより下方に突出しており、当該突出部分が後述するように係止部として機能する。
【００８７】
内鉤部材６１３，６１４に対応して、摺動杆６１０及び支持板６０３の上部及び下部には、それぞれ内ガイド孔６２５，６２６及び外ガイド孔６２７，６２８が形成されている。各ガイド孔６２５〜６２８は上下方向に長い長円状をなす。そして、これら摺動杆６１０の内ガイド孔６２５，６２６及び支持板６０３の外ガイド孔６２７，６２８に対し、支持板６０３の外側（内枠１２内方側）から差し込まれたガイドピン６３１，６３２が、内鉤部材６１３，６１４（基部６１３ａ，６１４ａ）に固定されている。これにより、内鉤部材６１３，６１４は、基枠６０１（支持板６０３）及び摺動杆６１０に対して、上下に相対変位可能に係合されるとともに、摺動杆６１０の摺動に連動して摺動可能となる。
【００８８】
なお、上述した支持板６０３側の複数のフランジ部６０３ａのうち、内鉤部材６１３，６１４に対応する位置に設けられたものには、当該内鉤部材６１３，６１４に対応する位置にスリット６０３ｃが形成されている。そして、内鉤部材６１３，６１４のうち、突出部６１３ｂ，６１４ｂ及び頭部６１３ｃ，６１４ｃのみがこのスリット６０３ｃを介して支持板６０３より後方へ突出し、基部６１３ａ，６１４ａは、取付板６０２とフランジ部６０３ａとの間に収まった状態となっている。
【００８９】
上記構成により、内鉤部材６１３，６１４は、ガイドピン６３１，６３２により左右方向への動きを規制され、かつ、取付板６０２やフランジ部６０３ａにより前後方向への動きを規制されつつ、上下方向へ摺動できるようになっている。
【００９０】
内鉤部材６１３，６１４は、付勢手段としてのコイルばねＣ１，Ｃ２により下方へ付勢されている。より詳しくは、コイルばねＣ１，Ｃ２は、一端が内鉤部材６１３，６１４（基部６１３ａ，６１４ａ）に設けられたフック部６１３ｄ，６１４ｄに掛けられるとともに、他端が、取付板６０２に設けられたフック部６３５，６３６に掛けられている。これにより、通常時、内鉤部材６１３，６１４は、下方に付勢され、ガイドピン６３１，６３２が支持板６０３の外ガイド孔６２７，６２８の下縁部に当接した状態で保持される。
【００９１】
なお、内鉤部材６１３，６１４の摺動範囲のうち、ガイドピン６３１，６３２が、支持板６０３の外ガイド孔６２７，６２８の下縁部に当接する位置が、内鉤部材６１３，６１４が各受け金具８３に係止される位置となる。つまり、この位置が、内鉤部材６１３，６１４の係止位置（基準位置）に相当する。これに対し、ガイドピン６３１，６３２が、支持板６０３の外ガイド孔６２７，６２８の上縁部に当接する位置が、内鉤部材６１３，６１４が各受け金具８３から離脱する位置となる。つまり、この位置が、内鉤部材６１３，６１４の非係止位置に相当する。
【００９２】
ここで、受け金具８３及びこれに組付けられる樹脂カバー８０１の構成について、図２４〜図２８を参照して詳しく説明する。受け金具８３は本実施形態における第1カバー部材を構成し、樹脂カバー８０１は第２カバー部材を構成する。従って、受け金具８３及び樹脂カバー８０１により本実施形態における遮蔽部材が構成される。
【００９３】
ここで、図２４は、受け金具８３及び樹脂カバー８０１を正面左側から見た分解斜視図であり、図２５は、正面右側から見た分解斜視図である。また、図２６は、受け金具８３及び樹脂カバー８０１を背面左側から見た分解斜視図であり、図２７は、背面右側から見た分解斜視図である。図２８は、組付け状態の受け金具８３及び樹脂カバー８０１を示すものであり、（ａ）はそれを正面左側から見た斜視図であり、（ｂ）は正面右側から見た斜視図であり、（ｃ）は背面左側から見た斜視図であり、（ｄ）は背面右側から斜視図である。
【００９４】
受け金具８３は、金属板を折り曲げ形成することにより、全体として後方が開口した略箱状に形成されている。受け金具８３は、上下・左右方向に沿って配設される略平板状の前壁部８３ａと、当該前壁部８３ａの上下左右の縁部からそれぞれ後方向へ延出した上壁部８３ｂ、下壁部８３ｃ、左壁部８３ｄ及び右壁部８３ｅとを備えている。これら上下左右の壁部８３ｂ〜８３ｅにより本実施形態における周壁部が構成される。
【００９５】
さらに、上壁部８３ｂの右端縁部には、当該縁部から上方へ延出したフランジ状の取付部８３ｆが形成されている。同様に、下壁部８３ｃの右端縁部には、当該縁部から下方へ延出したフランジ状の取付部８３ｇが形成されている。各取付部８３ｆ，８３ｇには、ネジ孔８３ｈが形成されている。そして、受け金具８３は、外枠１１の右辺枠構成部１１ｄの内壁面に各取付部８３ｆ，８３ｇを当接させた状態で、ネジ孔８３ｈに対し外枠１１の右辺枠構成部１１ｄの外側からネジ７９９が螺着されることにより固定される（図５参照）。
【００９６】
左壁部８３ｄ及び右壁部８３ｅの前後方向の延出長は、上壁部８３ｂ及び下壁部８３ｃの半分程度となっている。そして、左壁部８３ｄの後端縁部は段差状に屈曲形成され、金具外方側へ膨出している。
【００９７】
また、前壁部８３ａには、内鉤部材６１３，６１４が進入する鉤孔部８３ｊを有している。内鉤部材６１３，６１４は、鉤孔部８３ｊを介して受け金具８３内に進入した状態で、当該前壁部８３ａの裏側にて係止される。
【００９８】
内鉤部材６１３，６１４が各受け金具８３に係合された状態では、内鉤部材６１３，６１４の頭部６１３ｃ，６１４ｃの周囲が、受け金具８３の各壁部８３ａ〜８３ｅによって囲まれた状態となる。従って、受け金具８３は、被係合部材としての機能と、被覆部材（第１カバー部材）としての機能を併せ持つこととなる。これにより、受け金具８３に係止される内鉤部材６１３，６１４に対し、線材等を引っ掛けにくくなるため、不正解錠に対する防御性能の向上を図ることができる。
【００９９】
その効果を高めるために、本実施形態では、さらに受け金具８３の後側の開口部を覆う樹脂カバー８０１を備えている。
【０１００】
樹脂カバー８０１は、例えばポリカーボネート等の硬質樹脂材料により一体形成されており、全体として前方が開口した略箱状に形成されている。
【０１０１】
樹脂カバー８０１は、受け金具８３の前壁部８３ａに相対向する後壁部８０１ａと、当該後壁部８０１ａの上下左右の縁部からそれぞれ前方向へ延出した上壁部８０１ｂ、下壁部８０１ｃ、左壁部８０１ｄ及び右壁部８０１ｅと備えている。そして、受け金具８３への組付け状態においては、上下左右の壁部８０１ｂ〜８０１ｅが受け金具８３の上下左右の壁部８３ｂ〜８３ｅの内側に嵌め込まれる。
【０１０２】
上壁部８０１ｂ及び下壁部８０１ｃには、それぞれ自身の前端縁部から後方に向けて一対の切り込みが形成されることにより、左右方向略中央部において係止片８０１ｆ，８０１ｇが形成されている。同様に、右壁部８０１ｅには、係止片８０１ｈが上下２箇所に形成されている。また、各係止片８０１ｆ〜８０１ｈの先端部には、樹脂カバー外方へ突出する係止爪が設けられている。
【０１０３】
これに対応して、受け金具８３の上壁部８３ｂ、下壁部８３ｃ及び右壁部８３ｅには、各係止片８０１ｆ〜８０１ｈの係止爪が係止される係止孔部８３ｋ，８３ｌ，８３ｍがそれぞれ設けられている。
【０１０４】
また、樹脂カバー８０１の左壁部８０１ｄは、上下方向の両端部近傍を除く略全域において、その延出長が、受け金具８３の左壁部８３ｄの後端縁部に合わせて短くなっている。そして、この延出長の短い左壁部８０１ｄの上下方向略全域には、その前端部近傍の外側にて、断面略Ｌ字状の受部８０１ｊが突出形成されている。そして、受け金具８３との組付け状態においては、この受部８０１ｊに対し受け金具８３の左壁部８３ｄの後端縁部が挿し込まれる。これにより、線材等の内部への進入が防がれる。
【０１０５】
一方、樹脂カバー８０１の右壁部８０１ｅの外側には、前後方向略中央部において、上下方向３箇所に受部８０１ｋが突出形成されている。このうち、中央の受部８０１ｋは断面略Ｌ字状に構成されている。これら受部８０１ｋは、受け金具８３の右壁部８３ｅの後端縁部の位置に合わせて形成されており、受け金具８３への組付け状態においては、これら受部８０１ｋに受け金具８３の右壁部８３ｅの後端縁部が当接又は挿し込まれる。これにより、線材等の内部への進入が防がれる。
【０１０６】
さらに、樹脂カバー８０１の右壁部８０１ｅの外側には、各受部８０１ｋから後壁部８０１ａにかけて前後方向に沿って複数の補強リブ８０１ｍが設けられている。
【０１０７】
一方、後壁部８０１ａから左壁部８０１ｄ（受部８０１ｊ）にかけて、背面視略矩形状の範囲を囲むように複数のスリット８０１ｐが間欠的に設けられる。これにより、上記スリット８０１ｐにより囲まれた部位が蓋部８０１ｑとして画定されている。そして、隣接するスリット８０１ｑの間に連結部として残された複数の破断部８０１ｒを切断することにより、蓋部８０１ｑは樹脂カバー８０１の本体部から切離し可能となる。
【０１０８】
次に受け金具８３と樹脂カバー８０１との組付け手順について説明する。両者の組付けは、受け金具８３を外枠１１の右辺枠構成部１１ｄの内壁面に取付ける前段階に行われる。
【０１０９】
本実施形態では、樹脂カバー８０１を受け金具８３の後側の開口部に嵌め込む構成となっている。各係止片８０１ｆ〜８０１ｈを弾性変形させつつ、樹脂カバー８０１の各壁部８０１ｂ〜８０１ｅを挿し込んでいくと、所定位置に達したところで、各係止片８０１ｆ〜８０１ｈが復元し、係止爪が受け金具８３の係止孔部８３ｋ〜８３ｍに係止される。同時に、樹脂カバー８０１の左壁部８０１ｄの受部８０１ｊに受け金具８３の左壁部８３ｄが挿し込まれ、右壁部８０１ｅの受部８０１ｋに受け金具８３の右壁部８３ｅが当接又は挿し込まれる。これにより両者の組付けが完了する。なお、受け金具８３の構成上、上下左右の壁部８３ｂ〜８３ｅが交わる４つのコーナー部にはスリット状の隙間が生じるが、樹脂カバー８０１の組付け時には、この隙間は、樹脂カバー８０１の上下左右の壁部８０１ｂ〜８０１ｅが交わる４コーナー部によって、そのほぼ全体が塞がれる。これにより、線材等の内部への進入が防がれる。
【０１１０】
続いて、上記のように樹脂カバー８０１を組付けた状態で受け金具８３を外枠１１の右辺枠構成部１１ｄの内壁面に固定する。詳しくは、受け金具８３の各取付部８３ｆ，８３ｇを位置合わせした状態で、ネジ孔８３ｈに対し外枠１１の右辺枠構成部１１ｄの外側からネジ７９９を螺着することにより固定する。
【０１１１】
一旦、受け金具８３を固定すると、受け金具８３の右壁部８３ｅに係止された樹脂カバー８０１の係止片８０１ｈの係止爪を、受け金具８３の外側から押すことができなくなるため、係止状態を解除できなくなる。つまり、受け金具８３が固定された状態では、破壊等しない限り、樹脂カバー８０１を取外せない状態となる。
【０１１２】
次に、前面枠セット１４の施錠機構に関連する部分について説明する。前面枠セット１４の施錠機構を構成する上記前鉤部材６１６，６１７，６１８は、摺動杆６１０の内枠１２外方側において、上記取付板６０２の鉤挿通孔６０５，６０６，６０７に対応して上部、中部及び下部の３箇所に配設されている。
【０１１３】
前鉤部材６１６，６１７，６１８は、主として基枠６０１内に配設される基部６１６ａ，６１７ａ，６１８ａと、当該基部６１６ａ，６１７ａ，６１８ａから前方に突出した突出部６１６ｂ，６１７ｂ，６１８ｂと、当該突出部６１６ｂ，６１７ｂ，６１８ｂの前端側において前方へ先細りするように設けられた略三角形状の頭部６１６ｃ，６１７ｃ，６１８ｃとから構成されている。
【０１１４】
上述したように取付板６０２には、前鉤部材６１６，６１７，６１８に対応して鉤挿通孔６０５，６０６，６０７が形成されており、当該鉤挿通孔６０５，６０６，６０７から、突出部６１６ｂ，６１７ｂ，６１８ｂ及び頭部６１６ｃ，６１７ｃ，６１８ｃのみが前方に突出している。また、頭部６１６ｃ，６１７ｃ，６１８ｃの上端部は、突出部６１６ｂ，６１７ｂ，６１８ｂより上方に突出しており、当該突出部分が後述するように係止部として機能する。
【０１１５】
前鉤部材６１６，６１７，６１８の基部６１６ａ，６１７ａ，６１８ａは、取付板６０２に沿って配設される取付側壁部６１６ｄ，６１７ｄ，６１８ｄと、支持板６０３（摺動杆６１０）に沿って配設される支持側壁部６１６ｅ，６１７ｅ，６１８ｅとを備えている。そして、上記突出部６１６ｂ，６１７ｂ，６１８ｂは、取付側壁部６１６ｄ，６１７ｄ，６１８ｄの内枠１２外方側の縁部から延出しており、支持側壁部６１６ｅ，６１７ｅ，６１８ｅとは段差をもって形成されている。
【０１１６】
また、取付側壁部６１６ｄ，６１７ｄ，６１８ｄの下部には、上下方向に長い長円状の取付側ガイド孔６１６ｆ，６１７ｆ，６１８ｆが形成されている。これら取付側ガイド孔６１６ｆ，６１７ｆ，６１８ｆに対し、基枠６０１内側（後側）から差し込まれたガイドピン６４１，６４２，６４３が取付板６０２に固定されている。
【０１１７】
また、前鉤部材６１６，６１７，６１８に対応して、摺動杆６１０及び支持板６０３の上部、中部及び下部には、それぞれ内ガイド孔６４５，６４６，６４７及び外ガイド孔６４８，６４９，６５０が形成されている。各ガイド孔６４５〜６５０は上下方向に長い長円状をなす。そして、摺動杆６１０の内ガイド孔６４５，６４６，６４７及び支持板６０３の外ガイド孔６４８，６４９，６５０に対し、支持板６０３の外側（内枠１２内方側）から差し込まれたガイドピン６５１，６５２，６５３が、前鉤部材６１６，６１７，６１８（支持側壁部６１６ｅ，６１７ｅ，６１８ｅ）に固定されている。これにより、前鉤部材６１６，６１７，６１８は、基枠６０１（支持板６０３）及び摺動杆６１０に対して、上下に相対変位可能に係合されるとともに、摺動杆６１０の摺動に連動して摺動可能となる。
【０１１８】
上記構成により、前鉤部材６１６，６１７，６１８は、上記ガイドピン６４１等の各種ガイドピンや、取付板６０２、フランジ部６０３ａなどにより、左右方向への動きや前後方向への動きを規制されつつ、上下方向へ摺動できるようになっている。
【０１１９】
前鉤部材６１６，６１７，６１８は、コイルばねＣ３，Ｃ４，Ｃ５により上方へ付勢されている。より詳しくは、コイルばねＣ３，Ｃ４，Ｃ５は、一端が前鉤部材６１６，６１７，６１８（基部６１６ａ，６１７ａ，６１８ａの支持側壁部６１６ｅ，６１７ｅ，６１８ｅ）に設けられたフック部６１６ｈ，６１７ｈ，６１８ｈに掛けられるとともに、他端が、取付板６０２に設けられたフック部６３７，６３８，６３９に掛けられている。これにより（コイルばねＣ３，Ｃ４，Ｃ５の引張力により）、通常時、前鉤部材６１６，６１７，６１８は、上方へ付勢される。つまり、前鉤部材６１６，６１７，６１８は、通常時、ガイドピン６５１，６５２，６５３が支持板６０３の外ガイド孔６４８，６４９，６５０の上縁部に当接した状態で保持される。
【０１２０】
なお、前鉤部材６１６，６１７，６１８の摺動範囲のうち、ガイドピン６５１，６５２，６５３が、支持板６０３の外ガイド孔６４８，６４９，６５０の上縁部に当接する位置が、前鉤部材６１６，６１７，６１８が受け金具９１，９２，９３に係止される位置となる。つまり、この位置が、前鉤部材６１６，６１７，６１８の係止位置（基準位置）に相当する。この際、前鉤部材６１６，６１７，６１８では、取付側ガイド孔６１６ｆ，６１７ｆ，６１８ｆの下縁部が、摺動杆６１０に固定されたガイドピン６４１，６４２，６４３に当接する。
【０１２１】
これに対し、ガイドピン６５１，６５２，６５３が、支持板６０３の外ガイド孔６４８，６４９，６５０の下縁部に当接する位置が、前鉤部材６１６，６１７，６１８が受け金具９１，９２，９３から離脱する位置となる。つまり、この位置が、前鉤部材６１６，６１７，６１８の非係止位置に相当する。この際、前鉤部材６１６，６１７，６１８では、取付側ガイド孔６１６ｆ，６１７ｆ，６１８ｆの上縁部が、摺動杆６１０に固定されたガイドピン６４１，６４２，６４３に当接する。
【０１２２】
ここで、受け金具９１，９２，９３の構成について詳しく説明する。受け金具９１，９２，９３は、前面枠セット１４の背面側に固定される取付部９１ａ，９２ａ，９３ａと、当該取付部９１ａ，９２ａ，９３ａから後方へ延出した延出部９１ｂ，９２ｂ，９３ｂ、当該延出部９１ｂ，９２ｂ，９３ｂの後端部から前面枠セット１４の内方側へ延出し、前鉤部材６１６，６１７，６１８が係合される係合部９１ｃ，９２ｃ，９３ｃとを備えている。
【０１２３】
また、取付部９１ａ，９２ａ，９３ａには、前鉤部材６１６，６１７，６１８に対応して、差込み孔９１ｄ，９２ｄ，９３ｄが形成されており、前鉤部材６１６，６１７，６１８が受け金具９１，９２，９３に係合された際には、前鉤部材６１６，６１７，６１８の頭部６１６ｃ，６１７ｃ，６１８ｃの先端が差込み孔９１ｄ，９２ｄ，９３ｄに差し込まれた状態となる（図２３参照）。
【０１２４】
また、摺動杆６１０は、通常時、内ガイド孔６２５，６２６の下縁部が支持板６０３の外ガイド孔６２７，６２８の下縁部と略同一高さ位置となる位置で、かつ、内ガイド孔６４５，６４６，６４７の上縁部が支持板６０３の外ガイド孔６４８，６４９，６５０の上縁部と略同一高さ位置となる位置において保持されている。この位置が摺動杆６１０の基準位置に相当する。摺動杆６１０が基準位置にある場合には、内ガイド孔６２５，６２６の下縁部が内鉤部材６１３，６１４のガイドピン６３１，６３２と係合すること、つまりコイルばねＣ１，Ｃ２の引張力によって、上方への動作が抑えられた状態にあるとともに、内ガイド孔６４５，６４６，６４７の上縁部が前鉤部材６１６，６１７，６１８のガイドピン６５１，６５２，６５３と係合すること、つまりコイルばねＣ３，Ｃ４，Ｃ５の引張力によって、下方への動作が抑えられた状態にある。そして、後述するシリンダ錠７００が操作された場合には、コイルばねＣ１等の引張力に抗して上方又は下方へ摺動変位する。
【０１２５】
さて、取付板６０２の幅広部６０２ｂには、錠部材としてのシリンダ錠７００が取付けられており、その前面側は前面枠セット１４の前面側に露出している。
【０１２６】
図１８に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１２７】
シリンダ錠７００は、取付板６０２の取付孔６０２ｃに対しシリンダ本体７０１を挿通した状態で、フランジ部７０５を取付板６０２の背面側にネジ止めすることにより固定されている。
【０１２８】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１２９】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１３０】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図１９に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１３１】
また、錠軸７０３の後端部には、鍵穴７０２に挿入された鍵Ｋの回動動作を摺動杆６１０に伝達するカム板７２０が固定されている。
【０１３２】
カム板７２０は、上下一対の上係合爪７２０ａ及び下係合爪７２０ｂを備えている。これらの係合爪７２０ａ，７２０ｂは、カム板７２０の回動方向に所定間隔を置いて形成されている。
【０１３３】
これに合わせて、摺動杆６１０の膨出部６１０ａには、上係合爪７２０ａが出入可能な上係合孔７２５と、下係合爪７２０ｂが出入可能な下係合孔７２６とが形成されている。また、支持板６０３には、両係合爪７２０ａ，７２０ｂの動作を妨げないように透孔７３０が形成されている。
【０１３４】
上記構成のもと、シリンダ錠７００の鍵穴７０２に鍵Ｋが挿し込まれていない状態で、錠軸７０３及びカム板７２０が基準位置にある場合には、図１０に示すように、上係合爪７２０ａの先端が、摺動杆６１０の上係合孔７２５に挿通状態となるとともに、下係合爪７２０ｂの先端が、摺動杆６１０の下係合孔７２６に挿通状態となる。
【０１３５】
また、上述したように、本実施形態のシリンダ錠７００は、鍵穴７０２に鍵Ｋの挿入がない場合には錠軸７０３及びカム板７２０を回動させることができない状態（変位不能となるロック状態）となるため、カム板７２０が基準位置にある場合には、係合爪７２０ａ，７２０ｂにより摺動杆６１０の摺動が規制されることとなる。例えば、仮に鍵Ｋを用いずに、基準位置にある摺動杆６１０に対し線材等を不正に引っ掛けて、当該摺動杆６１０に対し解錠方向への外力がかけられた場合には、係合爪７２０ａ，７２０ｂが摺動杆６１０の係合孔７２５，７２６の縁部に引っ掛かり、摺動杆６１０の解錠方向への摺動変位が、係合孔７２５等の遊び長を除き実質的に規制される。
【０１３６】
また、施錠装置６００には、シリンダ錠７００の背面側を覆うようにしてカムカバー７４０がネジ等の固定手段により取付固定されている。カムカバー７４０によって、カム板７２０と摺動杆６１０との係合部が覆われるとともに、摺動杆６１０の膨出部６１０ａ略全体（上下の段差部を含む）が覆われている。
【０１３７】
次に、施錠装置６００の作用について詳しく説明する。先ず内枠１２の施錠及び解錠について詳しく説明する。内枠１２の施錠状態においては、摺動杆６１０が基準位置をとることにより、上述したように外枠１１の内側に固定された各受け金具８３に対して内鉤部材６１３，６１４の頭部６１３ｃ，６１４ｃが係止され、内枠１２の開放が規制されている（図２２参照）。但し、図２２では、便宜上、樹脂カバー８０１を取外した状態での部分断面図が示されている。
【０１３８】
内枠１２を解錠する際には、シリンダ錠７００の鍵穴７０２に挿入した鍵Ｋを図１における時計回り方向に回動させる。これにより、図２０（ａ），（ｂ）に示すように、カム板７２０が同方向に回動して、下係合爪７２０ｂが摺動杆６１０の下係合孔７２６の上縁部に接触し、当該下係合爪７２０ｂに押上げられるようにして摺動杆６１０が上方に摺動する。
【０１３９】
摺動杆６１０が上方へ摺動すると、摺動杆６１０の内ガイド孔６２５，６２６の下縁部によってガイドピン６３１，６３２が引き上げられ、コイルばねＣ１，Ｃ２の引張力に抗して内鉤部材６１３，６１４が上方へ摺動する。これにより、内鉤部材６１３，６１４と各受け金具８３との係合が解除され、内枠１２の開放が許容される。
【０１４０】
なお、前鉤部材６１６，６１７，６１８が係止位置（基準位置）にある場合、ガイドピン６５１，６５２，６５３の係合された摺動杆６１０の内ガイド孔６４５，６４６，６４７の下部には、ガイドピン６５１，６５２，６５３が相対変位するスペースが確保されている。これにより、摺動杆６１０が上方へ摺動変位した場合でも、前鉤部材６１６，６１７，６１８は摺動せず、そのままの状態を維持できるようになっている。
【０１４１】
一方、内枠１２を施錠する際には、鍵Ｋを用いることなく施錠を行うことができるよう構成されている。より詳しくは、開状態にある内枠１２を閉じていくと、内鉤部材６１３，６１４の頭部６１３ｃ，６１４ｃの傾斜部位が各受け金具８３の鉤孔部８３ｊの下辺（前壁部８３ａ）に接触する。さらに、内枠１２を閉じていくと、内鉤部材６１３，６１４が上方へ押され、コイルばねＣ１，Ｃ２の引張力に抗して一旦上方へ摺動する。その後、内鉤部材６１３，６１４の頭部６１３ｃ，６１４ｃが前壁部８３ａを越えると、コイルばねＣ１，Ｃ２の引張力により内鉤部材６１３，６１４が元の位置に戻り、前壁部８３ａの裏側に係止される。これにより、施錠が完了し、内枠１２の開放が規制された状態となる。
【０１４２】
次に前面枠セット１４の施錠及び解錠について詳しく説明する。前面枠セット１４の施錠状態においては、摺動杆６１０が基準位置をとることにより、上述したように前面枠セット１４に取付けられた受け金具９１，９２，９３（係合部９１ｃ，９２ｃ，９３ｃ）に対して前鉤部材６１６，６１７，６１８の頭部６１６ｃ，６１７ｃ，６１８ｃが係止され、前面枠セット１４の開放が規制されている（図２３参照）。なお、前鉤部材６１６，６１７，６１８が受け金具９１，９２，９３に係合された状態では、頭部６１６ｃ，６１７ｃ，６１８ｃの先端が取付部９１ａ，９２ａ，９３ａの差込み孔９１ｄ，９２ｄ，９３ｄに差し込まれた状態となる。
【０１４３】
前面枠セット１４を解錠する際には、シリンダ錠７００の鍵穴７０２に挿入した鍵Ｋを図１における反時計回り方向に回動させる。これにより、図２１（ａ），（ｂ）に示すように、カム板７２０が同方向に回動して、上係合爪７２０ａが摺動杆６１０の上係合孔７２５の下縁部に接触し、当該上係合爪７２０ａに押下げられるようにして摺動杆６１０が下方に摺動する。
【０１４４】
摺動杆６１０が下方へ摺動すると、摺動杆６１０の内ガイド孔６４５，６４６，６４７の上縁部によってガイドピン６５１，６５２，６５３が引き下げられ、コイルばねＣ３，Ｃ４，Ｃ５の引張力に抗して前鉤部材６１６，６１７，６１８が下方へ摺動する。これにより、前鉤部材６１６，６１７，６１８と受け金具９１，９２，９３との係合が解除され、前面枠セット１４の開放が許容される。
【０１４５】
なお、内鉤部材６１３，６１４が係止位置（基準位置）にある場合、ガイドピン６３１，６３２の係合された摺動杆６１０の内ガイド孔６２５，６２６の上部には、ガイドピン６３１，６３２が相対変位するスペースが確保されている。これにより、摺動杆６１０が下方へ摺動変位した場合でも、内鉤部材６１３，６１４は摺動せず、そのままの状態を維持できるようになっている。
【０１４６】
一方、前面枠セット１４を施錠する際には、鍵Ｋを用いることなく施錠を行うことができるよう構成されている。より詳しくは、開状態にある前面枠セット１４を閉じていくと、前鉤部材６１６，６１７，６１８の頭部６１６ｃ，６１７ｃ，６１８ｃの傾斜部位が受け金具９１，９２，９３の係合部９１ｃ，９２ｃ，９３ｃ下辺に接触する。さらに、前面枠セット１４を閉じていくと、前鉤部材６１６，６１７，６１８が下方へ押され、コイルばねＣ３，Ｃ４，Ｃ５の引張力に抗して一旦下方へ摺動する。その後、前鉤部材６１６，６１７，６１８の頭部６１６ｃ，６１７ｃ，６１８ｃが係合部９１ｃ，９２ｃ，９３ｃを越えると、コイルばねＣ３，Ｃ４，Ｃ５の引張力により前鉤部材６１６，６１７，６１８が元の位置に戻り、係合部９１ｃ，９２ｃ，９３ｃに係止される。この際、頭部６１６ｃ，６１７ｃ，６１８ｃの先端が取付部９１ａ，９２ａ，９３ａの差込み孔９１ｄ，９２ｄ，９３ｄに差し込まれた状態となる。これにより、施錠が完了し、前面枠セット１４の開放が規制された状態となる。
【０１４７】
さらに、本実施形態では、シリンダ錠７００の故障時など、シリンダ錠７００を操作して内枠１２を開放できない状況となった場合には、パチンコ機１０の背面側から直接、内鉤部材６１３，６１４を操作して内枠１２を開放させることとなる。
【０１４８】
内枠１２が施錠状態にある場合、通常は、図２９（ａ）に示すように、鉤部材６１３（６１４）の頭部６１３ｃ（６１４ｃ）が、受け金具８３及び樹脂カバー８０１により覆われている。そのため、内鉤部材６１３（６１４）を直接操作できないようになっている。そこで、直接操作するためには、まず図２９（ｂ）に示すように、ニッパー等の工具により破断部８０１ｒを切断し、樹脂カバー８０１の本体部から蓋部８０１ｑを切離す。こうすることで、樹脂カバー８０１には開口部８０１ｓが形成され、当該開口部８０１ｓを介して、内鉤部材６１３（６１４）を直接操作することができるようになる。そして、内鉤部材６１３（６１４）を上方へ押すと、摺動杆６１０が摺動することなく、内鉤部材６１３（６１４）のみがコイルばねＣ１（Ｃ２）に抗して上方へ摺動し、係合状態が解除される。
【０１４９】
この際、作業者が素手で作業を行おうとした場合、樹脂カバー８０１（受け金具８３）内部の狭いスペースに開口部８０１ｓから指だけを入れて作業を行わなければならないが、内鉤部材６１３（６１４）にはコイルばねＣ１（Ｃ２）の引張力がかかっているため、指先だけで内鉤部材６１３（６１４）を動かすことは困難である。また、何らかの道具を用いる場合でも、内鉤部材６１３（６１４）の頭部６１３ｃ（６１４ｃ）の下側は傾斜部となっているため、滑り止めを有した特殊な道具等を用いない限り、当該頭部６１３ｃ（６１４ｃ）を下側から適切に押し上げることは難しい。また、頭部６１３ｃ（６１４ｃ）の傾斜部位を無理に押して傷つけたり変形させてしまうと、内枠１２を閉鎖する際に、内鉤部材６１３（６１４）の傾斜部位が滑らずに受け金具８３に引っ掛かる等して、内枠１２をスムーズに閉鎖できなくなるといった不具合も生じ得る。
【０１５０】
これに対し、本実施形態では、例えばペンチ等の工具を用いて内鉤部材６１３（６１４）の頭部６１３ｃ（６１４ｃ）を左右から挟持し、内鉤部材６１３（６１４）を上方へ持ち上げることが容易にできるような工夫が施されている。具体的には、図２９（ｂ）に示すように、頭部６１３ｃ（６１４ｃ）の側面に、工具係合部として半球状の突部６１３ｓが設けられている。これにより、比較的薄肉の内鉤部材６１３（６１４）の頭部６１３ｃ（６１４ｃ）をペンチ等の工具で挟持した場合でも、突部６１３ｓが引っ掛かりとなり、ペンチ等から頭部６１３ｃ（６１４ｃ）が抜け落ちるような不具合は発生しにくくなる。
【０１５１】
その後は、一旦、外枠１１から受け金具８３を取外して、使用済みの樹脂カバー８０１を取外す。そして、上述した手順で新たな樹脂カバー８０１を取着して、再度、受け金具８３を外枠１１に取付ける。
【０１５２】
以上詳述したように、本実施形態では、鉤部材６１３，６１４が受け金具８３及び樹脂カバー８０１により覆われているため、鉤部材６１３，６１４に対し線材等を引っ掛けにくくなる。結果として、線材等による鉤部材６１３，６１４に対する直接の解錠操作、すなわち不正な解錠操作が行われるのを抑止することができる。
【０１５３】
さらに、シリンダ錠７００の故障時など正当な理由から、鍵Ｋを用いずにパチンコ機１０の背面側から鉤部材６１３，６１４を直接操作して係合状態を解除しなくてはならない状況となった場合には、樹脂カバー８０１の蓋部８０１ｑを切離し、そこに形成された開口部８０１ｓを介して、その作業を行うことができる。つまり、正当な理由の下で行う作業の効率を妨げることなく不正行為のみをより確実に抑止することができる。
【０１５４】
加えて、蓋部８０１ｑが切離されると、樹脂カバー８０１にはその痕跡が残る。そのため、万が一、蓋部８０１ｑを開けて不正行為が行われた場合には、それを確認することで不正行為を早期発見できる。従って、不正行為の直接的な防止はもとより、不正行為を早期発見できるという側面からも不正行為の抑止を図ることができる。
【０１５５】
また、樹脂カバー８０１を組付けた状態で受け金具８３を外枠１１に固定すると、樹脂カバー８０１を取外せない状態となる。一般的に、パチンコ機１０が遊技ホールの島設備に設置された後には、他のパチンコ機１０等が隣接して配置されるため、外枠１１の右辺枠構成部１１ｄの外側からネジ７９９を取外しできなくなる。従って、樹脂カバー８０１を無傷で受け金具８３から取外すためには、一旦、パチンコ機１０を島設備から取外さなければならず、痕跡を残さずに不正行為を行うことは困難となる。
【０１５６】
結果として、メンテナンス性の向上を図りつつも、不正解錠に対する防御性能が格段に向上する。
【０１５７】
〔第２実施形態〕
以下、上記第１実施形態とは異なる第２実施形態について説明する。なお、第１実施形態と同様の構成部分についてはその詳細な説明を省略する。
【０１５８】
まず本実施形態に係る施錠装置９００について図３０乃至図３７を参照して詳しく説明する。
【０１５９】
施錠装置９００の基枠９０１は、内枠１２に固定される取付板９０２と、当該取付板９０２から後方に突出した支持板９０３とを備えている。
【０１６０】
取付板９０２の内枠１２外方側縁部には、後方へ突出したフランジ部９０２ａが略全長にわたって設けられ、支持板９０３の後縁部には、内枠１２外方側へ突出したフランジ部９０３ａが複数箇所に設けられている。
【０１６１】
取付板９０２には、後述する前鉤部材９１６，９１７，９１８の挿通用に上下方向３箇所に略矩形状の鉤挿通孔９０５，９０６，９０７が形成されている。さらに、各鉤挿通孔９０５，９０６，９０７の上方位置にはそれぞれ後述する前ロック部材９１９，９２０，９２１が挿通されるロック挿通孔９６７，９６８，９６９が形成されている。
【０１６２】
そして、内枠１２の連通孔９７，９８，９９（図６参照）を介して、前鉤部材９１６，９１７，９１８及び前ロック部材９１９，９２０，９２１が内枠１２前面側に突出している。
【０１６３】
基枠９０１の内側には、摺動部材としての長尺状の摺動杆９１０、内枠１２施錠用の上下一対の内鉤部材９１３，９１４、各内鉤部材９１３，９１４に対応して設けられた内ロック部材９２３，９２４、前面枠セット１４施錠用の３つの前鉤部材９１６，９１７，９１８、各前鉤部材９１６，９１７，９１８に対応して設けられた前ロック部材９１９，９２０，９２１などが配設されている。内鉤部材９１３，９１４が本実施形態における鉤部材に相当し、内ロック部材９２３，９２４がロック部材に相当する。
【０１６４】
摺動杆９１０は、支持板９０３に沿って配設されており、上下方向に摺動可能となっている。
【０１６５】
また、取付板９０２では、シリンダ錠７００の配置位置に対応する所定の上下区間が他部位より左右方向に幅広の幅広部９０２ｂとなっており、支持板９０３では、前記幅広部９０２ｂに対応する上下区間が内枠１２内方側へ膨出した膨出部９０３ｂとなっている。さらに、摺動杆９１０も同様に、支持板９０３の膨出部９０３ｂに対応する部位が膨出しており、膨出部９１０ａが形成されている。
【０１６６】
ここで内枠１２の施錠機構に関連する部分について詳しく説明する。内枠１２の施錠機構を構成する内鉤部材９１３，９１４は、摺動杆９１０の内枠１２外方側に重畳するように配設されている。但し、内鉤部材９１３，９１４と、摺動杆９１０との間には、内ロック部材９２３，９２４が介在している。
【０１６７】
内鉤部材９１３，９１４は、主として摺動杆９１０と重畳する縦長の基部９１３ａ，９１４ａと、当該基部９１３ａ，９１４ａの上部から後方へ延びる突出部９１３ｂ，９１４ｂと、当該突出部９１３ｂ，９１４ｂの後端側において後方へ先細りするように設けられた略三角形状の頭部９１３ｃ，９１４ｃとから構成されている。頭部９１３ｃ，９１４ｃの下端部は、突出部９１３ｂ，９１４ｂより下方に突出しており、当該突出部分が後述するように係止部として機能する。
【０１６８】
内鉤部材９１３，９１４に対応して、摺動杆９１０及び支持板９０３の上部及び下部には、それぞれ内ガイド孔９２５，９２６及び外ガイド孔９２７，９２８が形成されている。各ガイド孔９２５〜９２８は上下方向に長い長円状をなす。そして、これら摺動杆９１０の内ガイド孔９２５，９２６及び支持板９０３の外ガイド孔９２７，９２８に対し、支持板９０３の外側（内枠１２内方側）から差し込まれたガイドピン９３１，９３２が、後述する内ロック部材９２３，９２４のガイド孔９２３ｅ，９２４ｅを介して、内鉤部材９１３，９１４（基部９１３ａ，９１４ａの上部）に固定されている。これにより、内鉤部材９１３，９１４は、基枠９０１（支持板９０３）及び摺動杆９１０に対して、上下に相対変位可能に係合されるとともに、摺動杆９１０の摺動に連動して摺動可能となる。
【０１６９】
なお、上述した支持板９０３側の複数のフランジ部９０３ａのうち、内鉤部材９１３，９１４に対応する位置に設けられたものには、当該内鉤部材９１３，９１４に対応する位置に溝部（凹部）９０３ｃが形成されている。そして、内鉤部材９１３，９１４のうち、突出部９１３ｂ，９１４ｂ及び頭部９１３ｃ，９１４ｃのみがこの溝部９０３ｃを介して支持板９０３より後方へ突出し、基部９１３ａ，９１４ａは、取付板９０２とフランジ部９０３ａとの間に収まった状態となっている。
【０１７０】
次に内鉤部材９１３，９１４に対応して設けられた内ロック部材９２３，９２４について詳しく説明する。内ロック部材９２３，９２４は、内枠１２の施錠時において、不正な解錠操作による内鉤部材９１３，９１４の摺動変位を規制し、当該内鉤部材９１３，９１４を係止位置に維持することによって、内枠１２の不正な開放を防止するためのものである。
【０１７１】
内ロック部材９２３，９２４は、縦長の縦片部９２３ａ，９２４ａと、当該縦片部９２３ａ，９２４ａの上端部近傍から後方に向け延出した上片部９２３ｂ，９２４ｂと、縦片部９２３ａ，９２４ａの下端部から後方に向け延出した下片部９２３ｃ，９２４ｃとを備えており、全体としては後方に向け凹となる側面視略コ字状に形成されている。
【０１７２】
内ロック部材９２３，９２４は、内鉤部材９１３，９１４の内枠１２内方側に重畳するように配設されている。つまり、内鉤部材９１３，９１４と、摺動杆９１０との間に、内ロック部材９２３，９２４が配設されている。
【０１７３】
内ロック部材９２３，９２４には、上片部９２３ｂ，９２４ｂにおいて軸孔９２３ｄ，９２４ｄが設けられるとともに、縦片部９２３ａ，９２４ａにおいてガイド孔９２３ｅ，９２４ｅが形成されている。ガイド孔９２３ｅ，９２４ｅは、軸孔９２３ｄ，９２４ｄを中心にとって略円弧状に形成されている。
【０１７４】
また、内鉤部材９１３，９１４の突出部９１３ｂ，９１４ｂと頭部９１３ｃ，９１４ｃとの境界部近傍には、挿通孔９１３ｅ，９１４ｅが形成されている。そして、内枠１２外方側から挿通孔９１３ｅ，９１４ｅに対しそれぞれ差し込まれたガイドピン９３３，９３４が、内ロック部材９２３，９２４の軸孔９２３ｄ，９２４ｄに固定されている。
【０１７５】
さらに、上述したように、上記ガイドピン９３１，９３２が、内ロック部材９２３，９２４のガイド孔９２３ｅ，９２４ｅを介して、内鉤部材９１３，９１４（基部９１３ａ，９１４ａの上部）に固定されている。これにより、内ロック部材９２３，９２４は、内鉤部材９１３，９１４に対し、軸孔９２３ｄ，９２４ｄ（ガイドピン９３３，９３４）を中心として回動変位可能に軸支されるとともに、内鉤部材９１３，９１４が上下方向に摺動する場合には、これに連動して上下方向に摺動することとなる。
【０１７６】
また、内ロック部材９２３，９２４に対応して、支持板９０３側のフランジ部９０３ａには、内鉤部材９１３，９１４用の溝部９０３ｃの下方位置において、ロック挿通孔９０３ｄが形成されている。そして、このロック挿通孔９０３ｄを介して、内ロック部材９２３，９２４の下片部９２３ｃ，９２４ｃが支持板９０３より後方へ突出した状態となっている。
【０１７７】
内ロック部材９２３，９２４の縦片部９２３ａ，９２４ａの上端部には、取付板９０２側すなわち前側において、内枠１２外方側へ屈曲形成されたフック部９２３ｆ，９２４ｆが形成されている。そして、このフック部９２３ｆ，９２４ｆに付勢部材（維持手段及び付勢手段）としてのコイルばねＥ１，Ｅ２の一端が掛けられるとともに、他端が、取付板９０２に設けられたフック部９３５，９３６に掛けられている。コイルばねＥ１，Ｅ２の引張力により、通常時には、内ロック部材９２３，９２４の上部前端側が下方かつ前方へ引っ張られ、内ロック部材９２３，９２４自身はもちろんのこと、これとともに上記ガイドピン９３１〜９３４やフック部９２３ｆ，９２４ｆ等を介して内鉤部材９１３，９１４が下方へ付勢されている。つまり、内鉤部材９１３，９１４は、通常時、ガイドピン９３１，９３２が支持板９０３の外ガイド孔９２７，９２８の下縁部に当接した状態で保持される。また、この状態において、内ロック部材９２３，９２４は、ガイド孔９２３ｅ，９２４ｅの上縁部がガイドピン９３１，９３２に当接した状態となり、図４３に示すような基準姿勢をとる。
【０１７８】
また、内ロック部材９２３，９２４の縦片部９２３ａ，９２４ａの前縁部には、フック部９２３ｆ，９２４ｆよりも下方位置において、前方へ突出した突起部９２３ｇ，９２４ｇが形成さている。これに対応して、摺動杆９１０の前縁部には内枠１２外方側へ屈曲形成された前作用片９１０ｂ，９１０ｃが形成されている。そして、摺動杆９１０の前作用片９１０ｂ，９１０ｃが、内ロック部材９２３，９２４の突起部９２３ｇ，９２４ｇと接触可能となっている。さらに、これら突起部９２３ｇ，９２４ｇと前作用片９１０ｂ，９１０ｃとの形成位置に対応して、内鉤部材９１３，９１４の基部９１３ａ，９１４ａの前縁部には、切欠き凹部９１３ｄ，９１４ｄが形成されている。これにより、突起部９２３ｇ，９２４ｇの動作が妨げられないようになっている。
【０１７９】
また、内鉤部材９１３，９１４の基部９１３ａ，９１４ａの上端部には、内枠１２外方側へ屈曲形成されたガード部９１３ｆ，９１４ｆが形成されている。このガード部９１３ｆ，９１４ｆは、外部から内ロック部材９２３，９２４のフック部９２３ｆ，９２４ｆ側や突起部９２３ｇ，９２４ｇ側への線材等の進入を妨げ、これらに対し線材等を引っ掛けにくくするためのものである。
【０１８０】
なお、内鉤部材９１３，９１４の摺動範囲のうち、ガイドピン９３１，９３２が、支持板９０３の外ガイド孔９２７，９２８の下縁部に当接する位置が、内鉤部材９１３，９１４が各受け金具８３０に係止される位置となる。つまり、この位置が、内鉤部材９１３，９１４の係合位置（基準位置）に相当する。これに対し、ガイドピン９３１，９３２が、支持板９０３の外ガイド孔９２７，９２８の上縁部に当接する位置が、内鉤部材９１３，９１４が各受け金具８３０から離脱する位置となる。つまり、この位置が、内鉤部材９１３，９１４の非係合位置に相当する。
【０１８１】
また、内ロック部材９２３，９２４の下片部９２３ｃ，９２４ｃの先端下部には、後述するようにマイナスドライバー等の工具Ｇ１を係合可能な工具係合部としての切欠き部９２３ｋ，９２４ｋが形成されている。
【０１８２】
ここで、受け金具８３０の構成について、図４２（ａ）〜図４２（ｄ）を参照して詳しく説明する。
【０１８３】
受け金具８３０は、金属板を折り曲げ形成することにより、全体として略箱状に形成されている。受け金具８３０は、略平板状の前壁部８３０ａと、当該前壁部８３０ａの上下左右の縁部からそれぞれ後方向へ延出した上壁部８３０ｂ、下壁部８３０ｃ、左壁部８３０ｄ及び右壁部８３０ｅとを備えている。さらに、左壁部８３０ｄの後端縁部から右方向に延出した後壁部８３０ｆを備えている。
【０１８４】
さらに、上壁部８３０ｂの右端縁部及び下壁部８３０ｃの右端縁部には、それぞれ当該縁部から上方又は下方へ延出したフランジ状の取付部８３０ｇが形成されている。各取付部８３０ｇには、ネジ孔８３０ｈが形成されている。そして、受け金具８３０は、外枠１１の右辺枠構成部１１ｄの内壁面に各取付部８３０ｇを当接させた状態で、ネジ孔８３０ｈに対し外枠１１の右辺枠構成部１１ｄの外側からネジ７９９が螺着されることにより固定される（図５参照）。
【０１８５】
右壁部８３０ｅの前後方向の延出長は、上下及び左の壁部８３０ｂ，８３０ｃ，８３０ｄの半分程度となっている。
【０１８６】
また、前壁部８３０ａは、内鉤部材９１３，９１４が進入する鉤孔部８３０ｊを有している。内鉤部材９１３，９１４は、鉤孔部８３０ｊを介して受け金具８３０内に進入した状態で、当該前壁部８３０ａの裏側にて係止される。
【０１８７】
さらに、前壁部８３０ａには、鉤孔部８３０ｊの下方位置にてロック孔部８３０ｐが形成されている。そして、内鉤部材９１３，９１４が受け金具８３０に係合した状態では、内ロック部材９２３，９２４の下片部９２３ｃ，９２４ｃがロック孔部８３０ｐに挿入された状態となる（図４０等参照）。また、ロック孔部８３０ｐの下辺部には、前方へ突出形成されたガード部８３０ｑが形成されている。このガード部８３０ｑは、内ロック部材９２３，９２４の下片部９２３ｃ，９２４ｃに対し線材等を引っ掛けにくくするためのものである。
【０１８８】
内鉤部材９１３，９１４が各受け金具８３０に係合された状態では、内鉤部材９１３，９１４の頭部９１３ｃ，９１４ｃや内ロック部材９２３，９２４の下片部９２３ｃ，９２４ｃの先端部の周囲が、受け金具８３０の各壁部８３０ａ〜８３０ｆによって囲まれた状態となる。従って、受け金具８３０は、被係合部材としての機能と、遮蔽部材としての機能を併せ持つこととなる。これにより、受け金具８３０に係止される内鉤部材９１３，９１４や内ロック部材９２３，９２４に対し、線材等を引っ掛けにくくなるため、不正解錠に対する防御性能の向上を図ることができる。
【０１８９】
また、後壁部８３０ｆの左下部には、略矩形状の範囲を囲むように複数のスリット８３０ｓが間欠的に設けられている。これにより、スリット８３０ｓにより囲まれた部位が蓋部８３０ｔとして画定されている。そして、隣接するスリット８３０ｓの間に連結部として残された複数の破断部８３０ｒを切断することにより、蓋部８３０ｔは本体部から切離し可能となる。
【０１９０】
次に前面枠セット１４の施錠機構に関連する部分について説明する。前面枠セット１４の施錠機構を構成する前鉤部材９１６，９１７，９１８は、摺動杆９１０の内枠１２外方側において、上部、中部及び下部の３箇所に配設されている。
【０１９１】
前鉤部材９１６，９１７，９１８は、主として摺動杆９１０と重畳する縦長の基部９１６ａ，９１７ａ，９１８ａと、当該基部９１６ａ，９１７ａ，９１８ａから前方に突出した突出部９１６ｂ，９１７ｂ，９１８ｂと、当該突出部９１６ｂ，９１７ｂ，９１８ｂの前端側において前方へ先細りするように設けられた略三角形状の頭部９１６ｃ，９１７ｃ，９１８ｃとから構成されている。
【０１９２】
上述したように取付板９０２には、前鉤部材９１６，９１７，９１８に対応して鉤挿通孔９０５，９０６，９０７が形成されており、当該鉤挿通孔９０５，９０６，９０７から、突出部９１６ｂ，９１７ｂ，９１８ｂ及び頭部９１６ｃ，９１７ｃ，９１８ｃのみが前方に突出している。また、頭部９１６ｃ，９１７ｃ，９１８ｃの上端部は、突出部９１６ｂ，９１７ｂ，９１８ｂより上方に突出しており、当該突出部分が後述するように係止部として機能する。
【０１９３】
また、前鉤部材９１６，９１７，９１８に対応して、摺動杆９１０及び支持板９０３の上部、中部及び下部には、それぞれ内ガイド孔９４５，９４６，９４７及び外ガイド孔９４８，９４９，９５０が形成されている。各ガイド孔９４５〜９５０は上下方向に長い長円状をなす。そして、摺動杆９１０の内ガイド孔９４５，９４６，９４７及び支持板９０３の外ガイド孔９４８，９４９，９５０に対し、支持板９０３の外側（内枠１２内方側）から差し込まれたガイドピン９５１，９５２，９５３が、後述する前ロック部材９１９，９２０，９２１のガイド孔９１９ｅ，９２０ｅ，９２１ｅを介して、前鉤部材９１６，９１７，９１８に固定されている。これにより、前鉤部材９１６，９１７，９１８は、基枠９０１（支持板９０３）及び摺動杆９１０に対して、上下に相対変位可能に係合されるとともに、摺動杆９１０の摺動に連動して摺動可能となる。
【０１９４】
次に各前鉤部材９１６，９１７，９１８に対応して設けられた前ロック部材９１９，９２０，９２１について詳しく説明する。前ロック部材９１９，９２０，９２１は、前面枠セット１４の施錠時において、不正な解錠操作による前鉤部材９１６，９１７，９１８の摺動変位を規制し、当該前鉤部材９１６，９１７，９１８を係合位置に維持することによって、前面枠セット１４の不正な開放を防止するためのものである。
【０１９５】
前ロック部材９１９，９２０，９２１は、前鉤部材９１６，９１７，９１８の内枠１２内方側に重畳するように配設されている。つまり、前鉤部材９１６，９１７，９１８と、摺動杆９１０との間に、前ロック部材９１９，９２０，９２１が配設されている。
【０１９６】
前ロック部材９１９，９２０，９２１は、縦長の縦片部９１９ａ，９２０ａ，９２１ａと、当該縦片部９１９ａ，９２０ａ，９２１ａの上端部近傍から前方に突出した上片部９１９ｂ，９２０ｂ，９２１ｂと、縦片部９１９ａ，９２０ａ，９２１ａの下端部から前方に突出した下片部９１９ｃ，９２０ｃ，９２１ｃとを備えており、全体としては前方に向け凹となる側面視略コ字状に形成されている。
【０１９７】
前ロック部材９１９，９２０，９２１には、下片部９１９ｃ，９２０ｃ，９２１ｃにおいて軸孔９１９ｄ，９２０ｄ，９２１ｄが設けられるとともに、縦片部９１９ａ，９２０ａ，９２１ａにおいてガイド孔９１９ｅ，９２０ｅ，９２１ｅが形成されている。ガイド孔９１９ｅ，９２０ｅ，９２１ｅは、軸孔９１９ｄ，９２０ｄ，９２１ｄを中心にとって略円弧状に形成されている。
【０１９８】
また、前鉤部材９１６，９１７，９１８の突出部９１６ｂ，９１７ｂ，９１８ｂと頭部９１６ｃ，９１７ｃ，９１８ｃとの境界部近傍には、挿通孔９１６ｈ，９１７ｈ，９１８ｈが形成されている。そして、内枠１２外方側から挿通孔９１６ｈ，９１７ｈ，９１８ｈに対しそれぞれ差し込まれたガイドピン９５７，９５８，９５９が、前ロック部材９１９，９２０，９２１の軸孔９１９ｄ，９２０ｄ，９２１ｄに固定されている。
【０１９９】
さらに、上述したように、上記ガイドピン９５１，９５２，９５３が、前ロック部材９１９，９２０，９２１のガイド孔９１９ｅ，９２０ｅ，９２１ｅを介して、前鉤部材９１６，９１７，９１８（基部９１６ａ，９１７ａ，９１８ａ）に固定されている。これにより、前ロック部材９１９，９２０，９２１は、前鉤部材９１６，９１７，９１８に対し、軸孔９１９ｄ，９２０ｄ，９２１ｄ（ガイドピン９５７，９５８，９５９）を中心として回動変位可能に軸支されるとともに、前鉤部材９１６，９１７，９１８が上下方向に摺動する場合には、これに連動して上下方向に摺動することとなる。
【０２００】
上述したように、取付板９０２には、前ロック部材９１９，９２０，９２１に対応してロック挿通孔９６７，９６８，９６９が形成されており、当該ロック挿通孔９６７，９６８，９６９を介して、上片部９１９ｂ，９２０ｂ，９２１ｂのみが、取付板９０２より前方へ突出した状態となっている。
【０２０１】
前ロック部材９１９，９２０，９２１の縦片部９１９ａ，９２０ａ，９２１ａには、前縁側（取付板９０２側）の略中央部においてフック部９１９ｆ，９２０ｆ，９２１ｆが形成されている。そして、このフック部９１９ｆ，９２０ｆ，９２１ｆに、前鉤部材９１６，９１７，９１８の切欠き凹部９１６ｊ，９１７ｊ，９１８ｊを介して、付勢部材としてのコイルばねＥ３，Ｅ４，Ｅ５の一端が掛けられるとともに、他端が、取付板９０２に設けられたフック部９３７，９３８，９３９に掛けられている。コイルばねＥ３，Ｅ４，Ｅ５の引張力により、通常時には、前ロック部材９１９，９２０，９２１の前端側が上方かつ前方へ引っ張られ、前ロック部材９１９，９２０，９２１自身はもちろんのこと、これとともに上記ガイドピン９５１〜９５３、ガイドピン９５７〜９５９やフック部９１９ｆ，９２０ｆ，９２１ｆ等を介して前鉤部材９１６，９１７，９１８が上方へ付勢される。つまり、前鉤部材９１６，９１７，９１８は、通常時、ガイドピン９５１，９５２，９５３が支持板９０３の外ガイド孔９４８，９４９，９５０の上縁部に当接した状態で保持される。また、この状態において、前ロック部材９１９，９２０，９２１は、ガイド孔９１９ｅ，９２０ｅ，９２１ｅの下縁部がガイドピン９５１，９５２，９５３に当接した状態となり、図４３に示すような基準姿勢をとる。
【０２０２】
また、前ロック部材９１９，９２０，９２１の縦片部９１９ａ，９２０ａ，９２１ａの下端部後側には後方へ突出した突起部９１９ｇ，９２０ｇ，９２１ｇが形成さている。これに対応して、摺動杆９１０の後縁部には内枠１２外方側へ屈曲形成された後作用片９１０ｄ，９１０ｅ，９１０ｆが形成されている。そして、摺動杆９１０の後作用片９１０ｄ，９１０ｅ，９１０ｆが、前ロック部材９１９，９２０，９２１の突起部９１９ｇ，９２０ｇ，９２１ｇと接触可能となっている。さらに、これら突起部９１９ｇ，９２０ｇ，９２１ｇと後作用片９１０ｄ，９１０ｅ，９１０ｆとの形成位置に対応して、前鉤部材９１６，９１７，９１８の基部９１６ａ，９１７ａ，９１８ａの後縁部には、内枠１２外方側へ膨出した膨出凹部９１６ｇ，９１７ｇ，９１８ｇが形成されている。これにより、摺動杆９１０の後作用片９１０ｄ，９１０ｅ，９１０ｆの動作が妨げられないようになっている。膨出凹部９１６ｇ，９１７ｇ，９１８ｇは、ガード部としての機能と有しており、外部から前ロック部材９１９，９２０，９２１の突起部９１９ｇ，９２０ｇ，９２１ｇ側への線材等の進入を妨げ、これらに対し線材等を引っ掛けにくくしている。
【０２０３】
なお、前鉤部材９１６，９１７，９１８の摺動範囲のうち、ガイドピン９５１，９５２，９５３が、支持板９０３の外ガイド孔９４８，９４９，９５０の上縁部に当接する位置が、前鉤部材９１６，９１７，９１８が受け金具９１，９２，９３に係止される位置となる。つまり、この位置が、前鉤部材９１６，９１７，９１８の係合位置（基準位置）に相当する。
【０２０４】
これに対し、ガイドピン９５１，９５２，９５３が、支持板９０３の外ガイド孔９４８，９４９，９５０の下縁部に当接する位置が、前鉤部材９１６，９１７，９１８が受け金具９１，９２，９３から離脱する位置となる。つまり、この位置が、前鉤部材９１６，９１７，９１８の非係合位置に相当する。
【０２０５】
ここで、受け金具９１，９２，９３の構成について説明する。受け金具９１，９２，９３は、上記第１実施形態と同様に、前面枠セット１４の背面側に固定される取付部９１ａ，９２ａ，９３ａと、当該取付部９１ａ，９２ａ，９３ａから後方へ延出した延出部９１ｂ，９２ｂ，９３ｂ、当該延出部９１ｂ，９２ｂ，９３ｂの後端部から前面枠セット１４の内方側へ延出し、前鉤部材９１６，９１７，９１８が係合される係合部９１ｃ，９２ｃ，９３ｃとを備えている。
【０２０６】
また、取付部９１ａ，９２ａ，９３ａには、前鉤部材９１６，９１７，９１８に対応して、差込み孔９１ｄ，９２ｄ，９３ｄが形成されており、前鉤部材９１６，９１７，９１８が受け金具９１，９２，９３に係合された際には、前鉤部材９１６，９１７，９１８の頭部９１６ｃ，９１７ｃ，９１８ｃの先端が差込み孔９１ｄ，９２ｄ，９３ｄに差し込まれた状態となる（図４１参照）。
【０２０７】
さらに、受け金具９１，９２，９３の係合部９１ｃ，９２ｃ，９３ｃには、前ロック部材９１９，９２０，９２１に対応して挿通孔９１ｅ，９２ｅ，９３ｅが形成されており、前鉤部材９１６，９１７，９１８が受け金具９１，９２，９３に係合された際には、前ロック部材９１９，９２０，９２１の上片部９１９ｂ，９２０ｂ，９２１ｂが挿通孔９１ｅ，９２ｅ，９３ｅに挿通された状態となる（図４１参照）。
【０２０８】
また、摺動杆９１０は、通常時、内ガイド孔９２５，９２６の下縁部が支持板９０３の外ガイド孔９２７，９２８の下縁部と略同一高さ位置となる位置で、かつ、内ガイド孔９４５，９４６，９４７の上縁部が支持板９０３の外ガイド孔９４８，９４９，９５０の上縁部と略同一高さ位置となる位置において保持されている。この位置が摺動杆９１０の基準位置に相当する。摺動杆９１０が基準位置にある場合には、内ガイド孔９２５，９２６の下縁部が内鉤部材９１３，９１４のガイドピン９３１，９３２と係合すること、つまりコイルばねＥ１，Ｅ２の引張力によって、上方への動作が抑えられた状態にあるとともに、内ガイド孔９４５，９４６，９４７の上縁部が前鉤部材９１６，９１７，９１８のガイドピン９５１，９５２，９５３と係合すること、つまりコイルばねＥ３，Ｅ４，Ｅ５の引張力によって、下方への動作が抑えられた状態にある。そして、シリンダ錠７００が操作された場合には、コイルばねＥ１等の引張力に抗して上方又は下方へ摺動変位する。
【０２０９】
さて、取付板９０２の幅広部９０２ｂには、上記第１実施形態同様に、錠部材としてのシリンダ錠７００が取付けられており、その前面側は前面枠セット１４の前面側に露出している。また、シリンダ錠７００の後端部には、鍵穴７０２に挿入された鍵Ｋ（図１８等参照）の回動動作を摺動杆９１０に伝達する係合部材としてのカム板７２０が固定されている。カム板７２０は、上下一対の上係合爪７２０ａ及び下係合爪７２０ｂを備えている。
【０２１０】
これに合わせて、摺動杆９１０の膨出部９１０ａには、上係合爪７２０ａが出入可能な上係合孔９７５と、下係合爪７２０ｂが出入可能な下係合孔９７６とが形成されている。
【０２１１】
シリンダ錠７００の鍵穴７０２に鍵Ｋが挿し込まれていない状態で、カム板７２０が基準位置にある場合には、図３０に示すように、上係合爪７２０ａの先端が、摺動杆９１０の上係合孔９７５に挿通状態となるとともに、下係合爪７２０ｂの先端が、摺動杆９１０の下係合孔９７６に挿通状態となる。
【０２１２】
また、上記第１実施形態と同様に、本実施形態のシリンダ錠７００は、鍵穴７０２に鍵Ｋの挿入がない場合にはカム板７２０を回動させることができない状態（変位不能となるロック状態）となる。このため、カム板７２０が基準位置にある場合には、係合爪７２０ａ，７２０ｂにより摺動杆９１０の摺動が規制されることとなる。例えば、仮に鍵Ｋを用いずに、基準位置にある摺動杆９１０に対し線材等を不正に引っ掛けて、当該摺動杆９１０に対し解錠方向への外力がかけられた場合には、係合爪７２０ａ，７２０ｂが摺動杆９１０の係合孔９７５，９７６の縁部に引っ掛かり、摺動杆９１０の解錠方向への摺動変位が、係合孔９７５等の遊び長を除き実質的に規制される。
【０２１３】
また、施錠装置９００には、シリンダ錠７００の背面側を覆うようにしてカムカバー９４０がネジ等の固定手段により取付固定されている。カムカバー９４０によって、カム板７２０と摺動杆９１０との係合部が覆われるとともに、摺動杆９１０の膨出部９１０ａ略全体（上下の段差部を含む）が覆われている。
【０２１４】
次に、施錠装置９００の作用について詳しく説明する。先ず内枠１２の施錠及び解錠について詳しく説明する。内枠１２の施錠状態においては、摺動杆９１０が基準位置をとることにより、上述したように外枠１１の内側に固定された各受け金具８３０に対して内鉤部材９１３，９１４の頭部９１３ｃ，９１４ｃが係止され、内枠１２の開放が規制されている（図４０，４３参照）。なお、内鉤部材９１３，９１４が各受け金具８３０に係合された状態では、内ロック部材９２３，９２４の下片部９２３ｃ，９２４ｃがロック孔部８３０ｐに挿通された状態となる（図４０参照）。但し、図４０では、便宜上、受け金具８３０の部分断面図が示されている。
【０２１５】
仮に、内枠１２の開放状態において、係止位置にある内鉤部材９１３（９１４）の突出部９１３ｂ（９１４ｂ）や頭部９１３ｃ（９１４ｃ）に対し線材等を引っ掛けて、摺動杆９１０を介さず、内鉤部材９１３（９１４）に対し解錠方向（上方）への外力がかけられると、図４４に示すように内鉤部材９１３（９１４）が上方へ摺動するとともに、これに連動して内ロック部材９２３（９２４）が上方へ摺動する。この際、内ロック部材９２３（９２４）は、コイルばねＥ１（Ｅ２）の引張力により取付板９０２側（前方かつ下方）へ引き付けられるため、通常時の基準姿勢を維持しつつ上方へ摺動する。この基準姿勢を維持した状態が本実施形態における内ロック部材９２３（９２４）の第１状態に相当する。
【０２１６】
従って、内枠１２の施錠状態において、鍵Ｋを用いることなく、係止位置にある内鉤部材９１３（９１４）に対し線材等を引っ掛かける等して不正に上記同様の解錠操作を行った場合には、内ロック部材９２３（９２４）の下片部９２３ｃ（９２４ｃ）が受け金具８３０の前壁部８３０ａに引っ掛かることとなる。つまり、内鉤部材９１３（９１４）を解錠方向へ摺動させようとしても、その動きは、ロック孔部８３０ｐ等の遊び分を除き実質的に規制される。もちろん、ロック孔部８３０ｐの遊び量は、内ロック部材９２３（９２４）の下片部９２３ｃ（９２４ｃ）が受け金具８３０の前壁部８３０ａに当接した状態でも、内鉤部材９１３（９１４）の頭部９１３ｃ（９１４ｃ）が受け金具８３０から離脱しない程度に設定されている。結果として、内鉤部材９１３（９１４）は非係止位置まで変位せず、内枠１２の開放は許容されない。
【０２１７】
正規に内枠１２を解錠する際には、シリンダ錠７００の鍵穴７０２に挿入した鍵Ｋを時計回り方向に回動させる。これにより、図３８（ａ），（ｂ）に示すように、カム板７２０が同方向に回動して、下係合爪７２０ｂが摺動杆９１０の下係合孔９７６の上縁部に接触し、当該下係合爪７２０ｂに押上げられるようにして摺動杆９１０が上方に摺動する。
【０２１８】
摺動杆９１０が上方へ摺動すると、図４５（ａ）に示すように、まず摺動杆９１０の前作用片９１０ｂ（９１０ｃ）が、内ロック部材９２３（９２４）の突起部９２３ｇ（９２４ｇ）に接触し、これを上方へ押し上げる。すると、内ロック部材９２３（９２４）は、コイルばねＥ１（Ｅ２）の引張力に抗して回動変位して、下片部９２３ｃ（９２４ｃ）が前方（取付板９０２側）へやや引っ込んだ状態となる。この状態が、本実施形態における内ロック部材９２３（９２４）の第２状態に相当する。この状態になると、下片部９２３ｃ（９２４ｃ）が受け金具８３０のロック孔部８３０ｐから抜け出した状態となり、ロック状態が解除される。
【０２１９】
さらに、摺動杆９１０が上方へ摺動すると、摺動杆９１０の内ガイド孔９２５（９２６）の下縁部によってガイドピン９３１（９３２）が引き上げられ、図４５（ｂ）に示すように、コイルばねＥ１（Ｅ２）の引張力に抗して内鉤部材９１３（９１４）が上方へ摺動する。この際、内ロック部材９２３（９２４）は、内鉤部材９１３（９１４）とともに上方へ摺動する。これにより、内鉤部材９１３（９１４）と受け金具８３０との係合が解除され、内枠１２の開放が許容される。
【０２２０】
なお、前鉤部材９１６，９１７，９１８が係止位置（基準位置）にある場合、ガイドピン９５１，９５２，９５３の係合された摺動杆９１０の内ガイド孔９４５，９４６，９４７の下部や、摺動杆９１０の後作用片９１０ｄ，９１０ｅ，９１０ｆの差し込まれる前鉤部材９１６，９１７，９１８の膨出凹部９１６ｇ，９１７ｇ，９１８ｇの上部には、ガイドピン９５１，９５２，９５３や後作用片９１０ｄ，９１０ｅ，９１０ｆが相対変位するスペースが確保されている。これにより、摺動杆９１０が上方へ摺動変位した場合でも、前鉤部材９１６，９１７，９１８は摺動せず、そのままの状態を維持できるようになっている。
【０２２１】
一方、内枠１２を施錠する際には、鍵Ｋを用いることなく施錠を行うことができるよう構成されている。より詳しくは、開状態にある内枠１２を閉じていくと、内鉤部材９１３，９１４の頭部９１３ｃ，９１４ｃの傾斜部位が各受け金具８３０の鉤孔部８３０ｊの下辺（前壁部８３０ａ）に接触する。さらに、内枠１２を閉じていくと、内鉤部材９１３，９１４が上方へ押され、コイルばねＥ１，Ｅ２の引張力に抗して一旦上方へ摺動する。この際、内ロック部材９２３，９２４は、前壁部８３０ａに当接して回動変位する。その後、内鉤部材９１３，９１４の頭部９１３ｃ，９１４ｃが前壁部８３０ａを越えると、コイルばねＥ１，Ｅ２の引張力により内鉤部材９１３，９１４が元の位置に戻り、前壁部８３０ａの裏側に係止される。内鉤部材９１３，９１４が元の位置に戻ると、内ロック部材９２３，９２４も下方へ下がって元の姿勢に戻り、下片部９２３ｃ，９２４ｃがロック孔部８３０ｐに挿通された状態となる。これにより、施錠が完了し、内枠１２の開放が規制された状態となるとともに、内ロック部材９２３，９２４によりロックがかかった状態（ロック状態）となる。
【０２２２】
次に前面枠セット１４の施錠及び解錠について詳しく説明する。前面枠セット１４の施錠状態においては、摺動杆９１０が基準位置をとることにより、上述したように前面枠セット１４に取付けられた受け金具９１，９２，９３（係合部９１ｃ，９２ｃ，９３ｃ）に対して前鉤部材９１６，９１７，９１８の頭部９１６ｃ，９１７ｃ，９１８ｃが係止され、前面枠セット１４の開放が規制されている（図４１，４３参照）。なお、前鉤部材９１６，９１７，９１８が受け金具９１，９２，９３に係合された状態では、頭部９１６ｃ，９１７ｃ，９１８ｃの先端が取付部９１ａ，９２ａ，９３ａの差込み孔９１ｄ，９２ｄ，９３ｄに差し込まれた状態となるとともに、係合部９１ｃ，９２ｃ，９３ｃの挿通孔９１ｅ，９２ｅ，９３ｅに対し、前ロック部材９１９，９２０，９２１の上片部９１９ｂ，９２０ｂ，９２１ｂが挿通された状態となる（図４１参照）。
【０２２３】
仮に、前面枠セット１４の開放状態において、係止位置にある前鉤部材９１６（９１７，９１８）の突出部９１６ｂ（９１７ｂ，９１８ｂ）や頭部９１６ｃ（９１７ｃ，９１８ｃ）に対し線材等を引っ掛けて、摺動杆９１０を介さず、前鉤部材９１６（９１７，９１８）に対し解錠方向（下方）への外力がかけられると、図４６に示すように前鉤部材９１６（９１７，９１８）が下方へ摺動するとともに、これに連動して前ロック部材９１９（９２０，９２１）が下方へ摺動する。この際、前ロック部材９１９（９２０，９２１）は、コイルばねＥ３（Ｅ４，Ｅ５）の引張力により取付板９０２側（前方かつ上方）へ引き付けられるため、通常時の基準姿勢を維持しつつ下方へ摺動する。
【０２２４】
従って、前面枠セット１４の施錠状態において、鍵Ｋを用いることなく、係止位置にある前鉤部材９１６（９１７，９１８）に対し線材等を引っ掛かける等して不正に上記同様の解錠操作を行った場合には、前ロック部材９１９（９２０，９２１）の上片部９１９ｂ（９２０ｂ，９２１ｂ）が受け金具９１（９２，９３）の係合部９１ｃ（９２ｃ，９３ｃ）の挿通孔９１ｅ（９２ｅ，９３ｅ）の下縁部に引っ掛かることとなる。つまり、前鉤部材９１６（９１７，９１８）を解錠方向へ摺動させようとしても、その動きは、挿通孔９１ｅ（９２ｅ，９３ｅ）等の遊び分を除き実質的に規制される。もちろん、挿通孔９１ｅ（９２ｅ，９３ｅ）の遊び量は、前ロック部材９１９（９２０，９２１）の上片部９１９ｂ（９２０ｂ，９２１ｂ）が係合部９１ｃ（９２ｃ，９３ｃ）の挿通孔９１ｅ（９２ｅ，９３ｅ）の下縁部に当接した状態でも、前鉤部材９１６（９１７，９１８）の頭部９１６ｃ（９１７ｃ，９１８ｃ）が受け金具９１（９２，９３）から離脱しない程度に設定されている。結果として、前鉤部材９１６（９１７，９１８）は非係止位置まで変位せず、前面枠セット１４の開放は許容されない。
【０２２５】
正規に前面枠セット１４を解錠する際には、シリンダ錠７００の鍵穴７０２に挿入した鍵Ｋを反時計回り方向に回動させる。これにより、図３９（ａ），（ｂ）に示すように、カム板７２０が同方向に回動して、上係合爪７２０ａが摺動杆９１０の上係合孔９７５の下縁部に接触し、当該上係合爪７２０ａに押下げられるようにして摺動杆９１０が下方に摺動する。
【０２２６】
摺動杆９１０が下方へ摺動すると、図４７（ａ）に示すように、まず摺動杆９１０の後作用片９１０ｄ（９１０ｅ、９１０ｆ）が、前ロック部材９１９（９２０，９２１）の突起部９１９ｇ（９２０ｇ，９２１ｇ）に接触し、これを下方へ押し下げる。すると、前ロック部材９１９（９２０，９２１）は、コイルばねＥ３（Ｅ４，Ｅ５）の引張力に抗して回動変位して、上片部９１９ｂ（９２０ｂ，９２１ｂ）が後方（フランジ部９０３ａ側）へやや引っ込んだ状態となる。この状態になると、上片部９１９ｂ（９２０ｂ，９２１ｂ）が受け金具９１（９２，９３）の挿通孔９１ｅ（９２ｅ，９３ｅ）から抜け出した状態となり、ロック状態が解除される。
【０２２７】
さらに、摺動杆９１０が下方へ摺動すると、図４７（ｂ）に示すように、摺動杆９１０の内ガイド孔９４５（９４６，９４７）の上縁部によってガイドピン９５１（９５２，９５３）が引き下げられ、コイルばねＥ３（Ｅ４，Ｅ５）の引張力に抗して前鉤部材９１６（９１７，９１８）が下方へ摺動する。この際、前ロック部材９１９（９２０，９２１）は、前鉤部材９１６（９１７，９１８）とともに下方へ摺動する。これにより、前鉤部材９１６（９１７，９１８）と受け金具９１（９２，９３）との係合が解除され、前面枠セット１４の開放が許容される。
【０２２８】
なお、内鉤部材９１３，９１４が係止位置（基準位置）にある場合、ガイドピン９３１，９３２の係合された摺動杆９１０の内ガイド孔９２５，９２６の上部や、摺動杆９１０の前作用片９１０ｂ，９１０ｃが差し込まれる内鉤部材９１３，９１４の切欠き凹部９１３ｄ，９１４ｄの下部には、ガイドピン９３１，９３２や前作用片９１０ｂ，９１０ｃが相対変位するスペースが確保されている。これにより、摺動杆９１０が下方へ摺動変位した場合でも、内鉤部材９１３，９１４は摺動せず、そのままの状態を維持できるようになっている。
【０２２９】
一方、前面枠セット１４を施錠する際には、鍵Ｋを用いることなく施錠を行うことができるよう構成されている。より詳しくは、開状態にある前面枠セット１４を閉じていくと、前鉤部材９１６，９１７，９１８の頭部９１６ｃ，９１７ｃ，９１８ｃの傾斜部位が受け金具９１，９２，９３の係合部９１ｃ，９２ｃ，９３ｃ下辺に接触する。さらに、前面枠セット１４を閉じていくと、前鉤部材９１６，９１７，９１８が下方へ押され、コイルばねＥ３，Ｅ４，Ｅ５の引張力に抗して一旦下方へ摺動する。この際、前ロック部材９１９，９２０，９２１は、係合部９１ｃ，９２ｃ，９３ｃの背面部に当接して回動変位する。その後、前鉤部材９１６，９１７，９１８の頭部９１６ｃ，９１７ｃ，９１８ｃが係合部９１ｃ，９２ｃ，９３ｃを越えると、コイルばねＥ３，Ｅ４，Ｅ５の引張力により前鉤部材９１６，９１７，９１８が元の位置に戻り、係合部９１ｃ，９２ｃ，９３ｃに係止される。この際、頭部９１６ｃ，９１７ｃ，９１８ｃの先端が取付部９１ａ，９２ａ，９３ａの差込み孔９１ｄ，９２ｄ，９３ｄに差し込まれた状態となる。前鉤部材９１６，９１７，９１８が元の位置に戻ると、前ロック部材９１９，９２０，９２１も上方へ上がって元の姿勢に戻り、上片部９１９ｂ，９２０ｂ，９２１ｂが係合部９１ｃ，９２ｃ，９３ｃの挿通孔９１ｅ，９２ｅ，９３ｅに挿通された状態となる。これにより、施錠が完了し、前面枠セット１４の開放が規制された状態となるとともに、前ロック部材９１９，９２０，９２１によりロックがかかった状態（ロック状態）となる。
【０２３０】
さらに、本実施形態では、シリンダ錠７００の故障時など、シリンダ錠７００を操作して内枠１２を開放できない状況となった場合には、パチンコ機１０の背面側から内鉤部材９１３，９１４を操作して内枠１２を開放させることとなる。
【０２３１】
内枠１２が施錠状態にある場合、通常は、図４３等に示すように、鉤部材９１３（９１４）の頭部９１３ｃ（９１４ｃ）が、受け金具８３０により覆われている。そのため、内鉤部材９１３（９１４）を操作できないようになっている。
【０２３２】
そこで、操作するためには、まず図４８（ａ）に示すように、ニッパー等の工具により破断部８３０ｒを切断し、受け金具８３０の本体部から蓋部８３０ｔを切離す。こうすることで、受け金具８３０には開口部８３０ｘが形成され、当該開口部８３０ｘを介して、内鉤部材９１３（９１４）を操作することができるようになる。
【０２３３】
より詳しくは、開口部８３０ｘを介して、受け金具８３０内部にマイナスドライバー等の棒状の工具Ｇ１を挿入する。そして、図４８（ｂ）に示すように、内ロック部材９２３（９２４）の下片部９２３ｃ（９２４ｃ）の先端下部の切欠き部９２３ｋ（９２４ｋ）に対し、工具Ｇ１を係合する。
【０２３４】
その後、図４８（ｃ）に示すように、工具Ｇ１により切欠き部９２３ｋ（９２４ｋ）の縦縁部を前方へ押して、内ロック部材９２３（９２４）の下片部９２３ｃ（９２４ｃ）を前方へ押し込むと、内ロック部材９２３（９２４）はコイルばねＥ１（Ｅ２）の引張力に抗して回動変位し、下片部９２３ｃ（９２４ｃ）が前方へやや引っ込んだ状態となる。この状態になると、下片部９２３ｃ（９２４ｃ）が受け金具８３０のロック孔部８３０ｐから抜け出した状態となり、ロック状態が解除される。内ロック部材９２３（９２４）の下片部９２３ｃ（９２４ｃ）を前方へ押すこの方向が本実施形態における第１の方向に相当する。
【０２３５】
この状態を維持したまま、図４８（ｄ）に示すように、工具Ｇ１により切欠き部９２３ｋ（９２４ｋ）の上縁部を上方へ押して、ロック部材９２３（９２４）を上方に持ち上げていくと、摺動杆９１０が摺動することなく、コイルばねＥ１（Ｅ２）の引張力に抗して内鉤部材９１３（９１４）及び内ロック部材９２３（９２４）だけが上方へ摺動する。内鉤部材９１３（９１４）を上方へ押し上げるこの方向が本実施形態における第２の方向に相当する。
【０２３６】
そして、内鉤部材９１３（９１４）が非係止位置に達すると、内鉤部材９１３（９１４）と受け金具８３０との係合が解除され、内枠１２の開放が許容される。
【０２３７】
なお、内枠１２の開放後は、一旦、外枠１１から使用済みの受け金具８３０を取外し、再度、上述した手順で新たな受け金具８３０を外枠１１に取付ける。
【０２３８】
以上詳述したように、本実施形態では、内ロック部材９２３，９２４や前ロック部材９１９，９２０，９２１を備えることにより、内枠１２や前面枠セット１４の施錠時において、鍵Ｋを用いずに線材等によって内鉤部材９１３，９１４や前鉤部材９１６，９１７，９１８に対し直接の解錠操作、すなわち不正な解錠操作が行われた場合には、内鉤部材９１３，９１４や前鉤部材９１６，９１７，９１８の解錠方向への摺動が規制される。つまり、内鉤部材９１３，９１４や前鉤部材９１６，９１７，９１８は係止位置に維持されるため、内枠１２や前面枠セット１４の開放は許容されない。
【０２３９】
一方、鍵Ｋを用いて正規に解錠操作を行った場合には、摺動杆９１０から力を受けることにより、内ロック部材９２３，９２４や前ロック部材９１９，９２０，９２１が状態変化し、内鉤部材９１３，９１４や前鉤部材９１６，９１７，９１８が非係止位置へ摺動可能となる。つまり、内鉤部材９１３，９１４や前鉤部材９１６，９１７，９１８が受け金具８３０や受け金具９１，９２，９３から離脱し、内枠１２や前面枠セット１４の開放が許容される。
【０２４０】
本実施形態の内ロック部材９２３，９２４や前ロック部材９１９，９２０，９２１は、外枠１１本体や前面枠セット１４本体に当接する等して状態変化する構成ではない。従って、内ロック部材９２３，９２４と外枠１１本体との当接位置関係や、前ロック部材９１９，９２０，９２１と前面枠セット１４本体との当接位置関係などを考慮する必要がないため、例えば内ロック部材９２３等のうち受け金具８３０等と係り合う下片部９２３ｃ等の前後長を予め余裕をもって長めに設計しておくことができ、内枠１２と外枠１１との間や、内枠１２と前面枠セット１４との間にある程度の遊びを設けたとしても、受け金具８３０や受け金具９１，９２，９３に対し内ロック部材９２３，９２４や前ロック部材９１９，９２０，９２１がより確実に係止されやすい。結果として、仮に内枠１２と外枠１１との組付誤差や、内枠１２と前面枠セット１４との組付誤差が大きくなった場合でも、当該組付誤差による内ロック部材９２３，９２４や前ロック部材９１９，９２０，９２１の機能低下といった不具合は低減される。換言すれば、より大きな製造誤差や組付誤差を許容することができ、歩留まり性が向上する。
【０２４１】
また、内枠１２や前面枠セット１４を無理やり引っ張る等した場合でも、内ロック部材９２３，９２４と受け金具８３０との係合や、前ロック部材９１９，９２０，９２１と受け金具９１，９２，９３との係合が簡単に解除され、内枠１２や前面枠セット１４が開放されてしまうおそれも低い。さらに、内ロック部材９２３，９２４や前ロック部材９１９，９２０，９２１は、摺動杆９１０ではなく、内鉤部材９１３，９１４や前鉤部材９１６，９１７，９１８の解錠方向への摺動を直接的に規制しているため、より確実に不正解錠を抑制することができる。
【０２４２】
また、仮に線材等を用いて内ロック部材９２３，９２４や前ロック部材９１９，９２０，９２１を状態変化させるとともに、内鉤部材９１３，９１４や前鉤部材９１６，９１７，９１８を不正に解錠操作しようとした場合には、内鉤部材９１３等と内ロック部材９２３等とにそれぞれ引っ掛けた線材等を少なくとも２方向に操作しなければならないため、不正解錠操作が行いにくくなる。
【０２４３】
結果として、線材等を用いた不正解錠に対する防御性能が格段に向上する。
【０２４４】
また、内ロック部材９２３，９２４や前ロック部材９１９，９２０，９２１を、これに対応する内鉤部材９１３，９１４や前鉤部材９１６，９１７，９１８と、摺動杆９１０との間に配設することにより、内ロック部材９２３等の露出する部位が減る。従って、内ロック部材９２３等に線材等を引っ掛けたり、金属片等を押し当てたりすることのできる部位の露出度も減り、上述したような不正解錠操作が行いにくくなる。
【０２４５】
さらに、支持板９０３の後縁部にフランジ部９０３ａが設けられていることにより、内鉤部材９１３等と摺動杆９１０との隙間から線材等を進入させ、内ロック部材９２３等に引っ掛けるといった不正行為がより困難となる。
【０２４６】
加えて、内鉤部材９１３，９１４にはガード部９１３ｆ，９１４ｆが設けられ、前鉤部材９１６，９１７，９１８にはガード部として機能する膨出凹部９１６ｇ，９１７ｇ，９１８ｇが設けられている。これにより、内ロック部材９２３，９２４のフック部９２３ｆ，９２４ｆや突起部９２３ｇ，９２４ｇ、前ロック部材９１９，９２０，９２１の突起部９１９ｇ，９２０ｇ，９２１ｇなどに対し線材等を引っ掛けにくくなる。
【０２４７】
結果として、線材等を用いた不正解錠に対する防御性能をさらに高めることができる。
【０２４８】
また、本実施形態では、摺動杆９１０を共用しつつも、内枠１２と前面枠セット１４とを別々に開放でき、メンテナンス時等の作業性の向上を図るとともに、部品点数の増加を抑制することができる。このような構成では、内鉤部材９１３，９１４や前鉤部材９１６，９１７，９１８を摺動杆９１０に対して上下動可能に係合する構成を採用せざるを得ないため、内鉤部材９１３，９１４等に対する直接の解錠操作によっては当該内鉤部材９１３，９１４等が上下動しないようにする上記防御機能がより奏効することとなる。
【０２４９】
さらに、内鉤部材９１３，９１４や前鉤部材９１６，９１７，９１８は、それぞれ独立して摺動変位するように構成されているため、不正行為により仮に内鉤部材９１３，９１４のいずれか一方、又は、前鉤部材９１６，９１７，９１８のいずれかが解錠方向へ摺動させられてしまった場合でも、他は摺動しないため、内枠１２や前面枠セット１４の施錠状態が保持され、開放は許容されない。結果として、内鉤部材９１３等の解錠方向への摺動変位を規制する内ロック部材９２３等との相乗効果により、不正解錠に対する防御性能がさらに向上する。
【０２５０】
また、本実施形態では、内枠１２や前面枠セット１４を施錠する際に、鍵Ｋを用いることなく施錠を行うことができるように構成されている。より詳しくは、内枠１２等を施錠する際に、コイルばねＥ１等の引張力に抗して、内鉤部材９１３等が受け金具８３０等に接触して一旦解錠方向に変位するとともに、内ロック部材９２３等が受け金具８３０等に接触して回動変位する。その後、コイルばねＥ１等の引張力により、内鉤部材９１３等が元の位置に戻り、施錠が完了すると、内ロック部材９２３等も元の姿勢に戻る。これにより、内枠１２等の開放が規制された状態となるとともに、内ロック部材９２３等によりロックがかかったロック状態となる。このような構成とすることで、内ロック部材９２３等が邪魔になることなく、スムーズに内枠１２等を閉めることができ、作業性が向上する。
【０２５１】
加えて、本実施形態では、鉤部材９１３，９１４及び内ロック部材９２３，９２４が受け金具８３０により覆われているため、鉤部材９１３，９１４や内ロック部材９２３，９２４に対し線材等を引っ掛けにくくなる。結果として、線材等による鉤部材９１３，９１４に対する直接の解錠操作、すなわち不正な解錠操作が行われるのを抑止することができる。
【０２５２】
さらに、シリンダ錠７００の故障時など正当な理由から、鍵Ｋを用いずにパチンコ機１０の背面側から鉤部材９１３，９１４を操作して係合状態を解除しなくてはならない状況となった場合には、上記第１実施形態と同様に、受け金具８３０の本体部から蓋部８３０ｔを切離し、そこに形成された開口部８３０ｘを介して、その作業を行うことができる。つまり、正当な理由の下で行う作業の効率を妨げることなく不正行為のみをより確実に抑止することができる。
【０２５３】
加えて、蓋部８３０ｔが切離されると、受け金具８３０にはその痕跡が残る。そのため、万が一、蓋部８３０ｔを開けて不正行為が行われた場合には、それを確認することで不正行為を早期発見できる。従って、不正行為の直接的な防止はもとより、不正行為を早期発見できるという側面からも不正行為の抑止を図ることができる。
【０２５４】
また、受け金具８３０を外枠１１に固定すると、当該受け金具８３０を取外せない状態となる。一般的に、パチンコ機１０が遊技ホールの島設備に設置された後には、他のパチンコ機１０等が隣接して配置されるため、外枠１１の右辺枠構成部１１ｄの外側からネジ７９９を取外しできなくなる。従って、無傷で受け金具８３０を取外すためには、一旦、パチンコ機１０を島設備から取外さなければならず、痕跡を残さずに不正行為を行うことは困難となる。
【０２５５】
結果として、メンテナンス性の向上を図りつつも、不正解錠に対する防御性能が格段に向上する。
【０２５６】
さらに、本実施形態では、受け金具８３０の本体部と蓋部８３０ｔとが金属製材料により一体形成されている。これにより、蓋部８３０ｔの切離し等がより困難となるとともに、蓋部８３０ｔを切離す等した場合には、確実にその痕跡が残るため、不正解錠に対する防御性能をさらに高めることができる。さらに、樹脂材料製の遮蔽部材に比べて壊されにくい。また、別途、蓋部８３０ｔを設ける工程を省略でき、部品点数の増加を抑制することができる。
【０２５７】
また、上記第１実施形態のように、金属製の受け金具８３と、樹脂製の樹脂カバー８０１とが別体となった構成に比べて、両者の組付け作業を省略でき、組付け工程の簡素化を図ることができるとともに、不正行為により樹脂カバー８０１だけが取外される心配もない。
【０２５８】
加えて、本実施形態では、内ロック部材９２３（９２４）の下片部９２３ｃ（９２４ｃ）の先端下部に、マイナスドライバー等の工具Ｇ１を係合可能な切欠き部９２３ｋ（９２４ｋ）が設けられている。そして、受け金具８３０内部にある内ロック部材９２３（９２４）に対し、外部から開口部８３０ｘを介して工具Ｇ１を係合させた状態で、当該工具Ｇ１を操作して、内ロック部材９２３（９２４）及び内鉤部材９１３（９１４）の解錠操作を行うことができる。従って、不正行為を抑止するため、開口部８３０ｘの大きさを比較的小さめに設定した場合でも、受け金具８３０外部から比較的容易に内ロック部材９２３（９２４）及び内鉤部材９１３（９１４）の解錠操作を行うことができる。
【０２５９】
また、工具Ｇ１による上記作業を行う際には、内ロック部材９２３（９２４）の切欠き部９２３ｋ（９２４ｋ）に係合させた工具Ｇ１を操作して、内ロック部材９２３（９２４）の下片部９２３ｃ（９２４ｃ）を前方へ押し、内ロック部材９２３（９２４）のロック状態を解除しつつ、上方へ工具Ｇ１を操作し、内ロック部材９２３（９２４）を介して内鉤部材９１３（９１４）を持ち上げるといった操作によって、内鉤部材９１３（９１４）と受け金具８３０との係合を解除する構成となっている。つまり、不正解錠操作の場合には、内ロック部材９２３（９２４）及び内鉤部材９１３（９１４）を操作する少なくとも２つの線材等が必要となるが、工具Ｇ１による正規の解錠操作の場合には、１つの工具Ｇ１で内ロック部材９２３（９２４）及び内鉤部材９１３（９１４）の両部材の操作を同時に行うことができる。これにより、線材等を用いた内ロック部材９２３（９２４）及び内鉤部材９１３（９１４）の不正解錠操作に対しては困難性を維持しつつも、工具Ｇ１を介した正規の内ロック部材９２３（９２４）及び内鉤部材９１３（９１４）の解錠操作に関しては比較的容易に行うことができる。
【０２６０】
なお、上述した実施形態の記載内容に限定されず、例えば次のように実施してもよい。
【０２６１】
（ａ）施錠装置６００の構成は上記実施形態に限定されるものではない。例えば、上記実施形態では、内枠１２の施錠機構及び前面枠セット１４の施錠機構が、単一の施錠装置６００によって具現化されている。これに限らず、例えば前面枠セット１４が内枠１２と一体形成された構成等においては、当該前面枠セット１４の施錠機構を省略した構成としてもよい。
【０２６２】
（ｂ）シリンダ錠７００の構成は上記実施形態に限定されるものではない。例えば、キーコードを変更可能なシリンダ錠を採用してもよい。キーコードの変更手順の一例について説明すると、所定のリセットピンを押圧した状態で鍵穴に現状の鍵を挿入して回動操作した後、該鍵を引き抜く。そして、リセットピンを押圧したまま、新たに設定したい鍵を鍵穴に挿入し、前記現状の鍵とは逆向きに回動操作した後、リセットピンの押圧状態を解除してから鍵を引き抜く。以上のような操作を行うことで、新たに設定したい鍵に合ったキーコードとすることができる。
【０２６３】
また、上記実施形態では、鍵Ｋの非挿入状態においてシリンダ錠７００がロック状態となり、摺動杆６１０の摺動変位がカム板７２０により規制される構成を採用している。これに限らず、例えば、摺動杆６１０が基準位置にある場合には、カム板７２０の両係合爪７２０ａ，７２０ｂが係合孔７２５，７２６に挿入された状態とならず、摺動杆６１０の摺動が規制されない構成を採用してもよい。また、鍵Ｋの非挿入状態においてもロック状態とならない（カム板７２０が変位不能とならない）シリンダ錠を採用してもよい。このような場合には、内鉤部材６１３，６１４等を摺動杆６１０に一体形成するなど、摺動杆６１０に対し相対変位不能に設けた構成としても、上述したように内枠１２を開放できない状況となった場合に、パチンコ機１０の背面側から直接、内鉤部材６１３，６１４を操作して内枠１２を開放させることに不都合を生じない。
【０２６４】
（ｃ）内鉤部材６１３，６１４や前鉤部材６１６，６１７，６１８の構成は上記実施形態に限定されるものではない。例えば、上記実施形態では、内鉤部材６１３等が上下方向に摺動する構成となっているが、これに限らず、内鉤部材６１３等が係止位置と非係止位置とに回動変位する構成を採用してもよい。
【０２６５】
また、内鉤部材６１３等の各鉤部材、及び、これに対応する受け金具８３等の各被係合部材の数は、上記実施形態の数に限定されるものではなく、内枠１２の施錠機構など各施錠機構に対応して、例えば１つであってもよい。
【０２６６】
また、上記実施形態では、鉤部材６１３，６１４の両鉤部材に対応して、受け金具８３に樹脂カバー８０１が取付けられているが、一方の鉤部材にのみ対応して樹脂カバー８０１を備えた構成としても十分、同様の作用効果を得ることができる。
【０２６７】
（ｄ）樹脂カバー８０１の構成は上記実施形態に限定されるものではない。蓋部８０１ｑの形成位置、大きさ、範囲などに関しても適宜、変更可能である。
【０２６８】
例えば、上記実施形態では、樹脂カバー８０１の本体部から蓋部８０１ｑを完全に切離す構成となっているが、これに限らず、蓋部８０１ｑの一部が本体部と連結された状態のまま開口部８０１ｓが形成される構成としてもよい。
【０２６９】
また、上記実施形態では、樹脂成形体として蓋部８０１ｑが樹脂カバー８０１の本体部に予め一体形成された構成であるが、これに限らず、樹脂カバー８０１の開口部８０１ｓに、別体成形された蓋部８０１ｑを接着剤などの固定手段により取着した構成としてもよい。
【０２７０】
また、上記実施形態では、複数のスリット８０１ｐを設けることによって、蓋部８０１ｑが樹脂カバー８０１の本体部から切離し可能な構成となっているが、これに限らず、蓋部８０１ｑの全周囲に薄肉部を設けることにより、樹脂カバー８０１の本体部から切断可能となる構成としてもよい。このようにすれば、通常時には、樹脂カバー８０１内側に線材等が進入する隙間が形成されないため、防御性能を高めることができる。
【０２７１】
（ｅ）上記実施形態では、鉤部材６１３，６１４が係合される被係合部材と、その周囲を囲む遮蔽部材（第１カバー部材）とが、受け金具８３として一体形成された構成となっている。これに限らず、これらを別体で設けた構成としてもよい。
【０２７２】
（ｆ）上記実施形態では、遮蔽部材として、第１カバー部材を構成する金属製の受け金具８３と、第２カバー部材としての樹脂製の樹脂カバー８０１とが別体で構成されている。第１カバー部材及び第２カバー部材の形状、素材、組付構造などは上記実施形態に限定されるものではない。例えば、上記第２実施形態のように、遮蔽部材として、第１カバー部材と第２カバー部材とが樹脂材料や金属材料等により一体形成された構成としてもよい。
【０２７３】
また、金属材料により一体形成する場合、上記第２実施形態に限らず、例えば図４９，５０に示す構成など他の構成を採用してもよい。図４９，５０に示した例は、蓋部（開口部）の構成が第２実施形態とは異なる。
【０２７４】
図４９に示す受け金具８３０は、第２実施形態と同様に、後壁部８３０ｆの左下部において、略矩形状の範囲を囲むように複数のスリット８３０ｓが間欠的に設けられている。但し、本構成では、第２実施形態に比べ、隣接するスリット８３０ｓの間の連結部（破断部）８３０ｒの幅が比較的幅広に設定されている。このため、連結部８３０ｒを切断して蓋部８３０ｔを本体部から切離す際には、ニッパー等に代えて、金属切断用のノコギリ等を使用する。このようにすれば、蓋部８３０ｔを本体部から切離すことが容易には行えなくなるとともに、通常時、受け金具８３０内側に不正に線材等を進入させるような隙間を少なくできるため、防御性能を高めることができる。
【０２７５】
また、図５０に示す受け金具８３０は、縦長の蓋部８４０が上下２箇所で本体部に連結された構成となっている。上側の連結部８４１は、蓋部８４０本体に比べ幅狭に設定されている。蓋部８４０の左右側縁部は受け金具８３０とは切離されているものの、通常時には略当接状態となっており、線材等を侵入させることができるほどの隙間が形成されないようになっている。
【０２７６】
そして、蓋部８４０を開ける際には、まず図５１（ａ）に示すように、上側の連結部８４１をニッパー等により切断する。その後、図５１（ｂ）に示すように、受け金具８３０の本体部と蓋部８４０の上端部との隙間にマイナスドライバー等の工具Ｇ１を差込む。続いて、図５１（ｃ）に示すように、下側の連結部８４２が本体部と連結された状態のまま、当該連結部８４２を基点として蓋部８４０を後方へ倒していくことにより、開口部８４５が形成される。このようにすれば、上記同様に、蓋部８４０を開けることが容易には行えなくなるとともに、通常時、受け金具８３０内側に不正に線材等を進入させるような隙間を少なくできるため、防御性能を高めることができる。
【０２７７】
（ｇ）上記実施形態とは異なるタイプのパチンコ機として実施してもよい。また、パチンコ機以外にも、アレンジボール機、それに類する雀球等の各種遊技機、スロットマシンとパチンコ機とを融合した形式の遊技機などとして実施してもよい。
【０２７８】
（ｈ）内ロック部材９２３，９２４や前ロック部材９１９，９２０，９２１の各ロック部材の構成は上記第２実施形態に限定されるものではない。例えば、上記第２実施形態では、内ロック部材９２３，９２４や前ロック部材９１９，９２０，９２１が回動変位することにより、ロック状態（第１状態）と非ロック状態（第２状態）とに状態変化する構成となっている。これに限らず、例えばラックアンドピニオン機構により、摺動杆９１０の動作に連動して略水平方向にスライド変位するロック部材などを採用してもよい。
【０２７９】
また、上記第２実施形態では、内ロック部材９２３，９２４や前ロック部材９１９，９２０，９２１を、これに対応する内鉤部材９１３，９１４や前鉤部材９１６，９１７，９１８と、摺動杆９１０との間に配設している。これに限らず、内ロック部材９２３等が内鉤部材９１３等に対し、摺動杆９１０とは逆側に配設された構成としてもよい。
【０２８０】
また、内鉤部材９１３等の動きを直接的に規制する内ロック部材９２３等に代えて、内枠１２の閉時に摺動杆９１０の動きを規制することにより、内鉤部材９１３等の鉤部材の動きを規制するロック部材を備えた構成としてもよい。例えば内枠１２を閉じると、所定のロック部材が外枠１１や受け金具８３０等の所定部位に当接することにより押されて変位し、摺動杆９１０の一部に差し込まれる等して摺動杆９１０と係合し、当該摺動杆９１０ひいては内鉤部材９１３等の移動を規制する構成等が一例に挙げられる。
【０２８１】
（ｉ）上記第２実施形態では、内ロック部材９２３，９２４を操作しやすくするため、当該内ロック部材９２３，９２４に工具係合部として、ドライバー等の工具Ｇ１を係合可能な切欠き部９２３ｋ，９２４ｋが設けられている。これに代えて、工具係合部として、例えば、内ロック部材９２３，９２４の側面に突起部を設けた構成としてもよい。また、工具係合部を省略した構成としてもよい。
【０２８２】
また、内ロック部材９２３，９２４のみならず、内鉤部材９１３，９１４にも工具係合部が設けられた構成としてもよい。
【０２８３】
さらに、上記第２実施形態では、受け金具８３０の背面側より工具Ｇ１を挿し込み、当該工具Ｇ１を操作して、内ロック部材９２３（９２４）の下片部９２３ｃ（９２４ｃ）を第１の方向である前方へ押し、内ロック部材９２３（９２４）のロック状態を解除しつつ、第２の方向である上方へ工具Ｇ１を操作し、内鉤部材９１３（９１４）を持ち上げるといった２方向への操作によって、内鉤部材９１３（９１４）と受け金具８３０との係合を解除する構成となっている。
【０２８４】
これに限らず、工具Ｇ１を一方向に操作することにより、内鉤部材９１３（９１４）及び内ロック部材９２３（９２４）の両者とも解除される構成としてもよい。例えば、受け金具８３０の下側から工具Ｇ１を挿入可能な構成とし、当該工具Ｇ１により内ロック部材９２３（９２４）の下片部９２３ｃ（９２４ｃ）を前方へ押しやりつつ、内鉤部材９１３（９１４）を上方へ押し上げ、当該内鉤部材９１３（９１４）と受け金具８３０との係合を解除可能な構成としてもよい。
【０２８５】
また、上記第１実施形態でも同様に、内鉤部材６１３，６１４を操作しやすくするため、当該内鉤部材６１３，６１４に工具係合部として半球状の突部６１３ｓが設けられている。これに代えて、工具係合部として、例えば、図５２に示すように、内鉤部材６１３（６１４）の側面に舌片状の突起部６１３ｔを設けた構成としてもよいし、図５３に示すように、内鉤部材６１３（６１４）の頭部６１３ｃ（６１４ｃ）の先端に凹部６１３ｕを設けた構成としてもよい。また、工具係合部を省略した構成としてもよい。
【０２８６】
図５２，図５３の例の場合、樹脂カバー８０１の背面側より開口部８０１ｓを介してマイナスドライバー等の工具を挿し込み、突起部６１３ｔや凹部６１３ｕに当該工具を係合させた後、当該工具を上方へ操作して、内鉤部材６１３（６１４）を持ち上げることができる。
【０２８７】
（ｊ）上記第２実施形態では、内枠１２の施錠機構に関しては、両内鉤部材９１３，９１４に対応して内ロック部材９２３，９２４が設けられ、前面枠セット１４の施錠機構に関しては、３つの前鉤部材９１６，９１７，９１８すべてに対応して前ロック部材９１９，９２０，９２１が設けられた構成となっている。これに限らず、例えば内枠１２の施錠機構に関しては、２つの内鉤部材９１３，９１４のうちのいずれか一方のみに対応して内ロック部材を備えた構成としてもよい。また、前面枠セット１４の施錠機構に関しては、３つの前鉤部材９１６，９１７，９１８のうちの少なくとも１つに対応して前ロック部材が設けられた構成としてもよい。少なくとも１つに対応して設けられていれば、不正解錠に対する防御性能を十分に発揮することはできる。
【０２８８】
（ｋ）上記第２実施形態では、例えば内ロック部材９２３，９２４を介して、コイルばねＥ１，Ｅ２の付勢力が内鉤部材９１３，９１４に伝わる構成となっている。つまり、内鉤部材９１３，９１４の付勢手段と、内ロック部材９２３，９２４の維持手段とが、単一のコイルばねＥ１，Ｅ２により構成されている。また、同様に、前鉤部材９１６，９１７，９１８の付勢手段と、前ロック部材９１９，９２０，９２１の維持手段とが、単一のコイルばねＥ３，Ｅ４，Ｅ５により構成されている。これに限らず、各鉤部材の付勢手段と、各ロック部材の維持手段を別々のコイルばねにより構成してもよい。勿論、付勢手段や維持手段はコイルばねに限定されるものではない。また、付勢手段や維持手段の力が、摺動杆９１０など他の部材を介して間接的に鉤部材やロック部材に伝わる構成としてもよい。
【０２８９】
以下、特許請求の範囲の請求項に記載されないものであって、上記実施形態から把握できる技術的思想について、その効果とともに記載する。
【０２９０】
手段１．外郭を構成する固定枠と、
前記固定枠の前面側にて開閉可能に支持された扉体と、
前記扉体に設けられ、前記固定枠に対し前記扉体を施錠する施錠装置とを備え、
前記施錠装置が、
鍵により操作される錠部材と、
少なくとも前記鍵の操作に応じた前記錠部材の動作に連動して、前記固定枠に設けられた被係合部材に対し係合されて前記扉体の開放を規制する係合位置と、前記被係合部材から離脱して前記扉体の開放を許容する非係合位置とに変位可能な鉤部材とを備えた遊技機において、
前記被係合部材及びこれに係合される前記鉤部材を囲む遮蔽部材を備えるとともに、
前記遮蔽部材の一部に切離し又は切開き可能な蓋部を備えることにより、当該遮蔽部材に開口部を形成可能としたことを特徴とする遊技機。
【０２９１】
上記手段１によれば、遮蔽部材を備えることにより、被係合部材に係合される鉤部材に対し線材等を引っ掛けにくくなる。結果として、線材等による鉤部材に対する直接の解錠操作、すなわち不正な解錠操作が行われるのを抑止することができる。
【０２９２】
さらに、上記蓋部を備えることにより、錠部材の故障時など正当な理由から、鍵を用いずに遊技機背面側から鉤部材を直接操作して被係合部材との係合状態を解除しなくてはならない状況となった場合には、遮蔽部材の蓋部を切離し又は切開き、そこに形成された開口部を介して、その作業を行うことができる。つまり、正当な理由の下で行う作業の効率を妨げることなく不正行為のみをより確実に抑止することができる。
【０２９３】
加えて、蓋部が切離し等されると、遮蔽部材にはその痕跡が残る。そのため、万が一、蓋部を開けて不正行為が行われた場合には、それを確認することで不正行為を早期発見できる。従って、不正行為の直接的な防止はもとより、不正行為を早期発見できるという側面からも不正行為の抑止を図ることができる。
【０２９４】
結果として、メンテナンス性の向上を図りつつも、遮蔽部材全体が動かせる構成とする場合に比べて、不正解錠に対する防御性能が格段に向上する。
【０２９５】
尚、鉤部材及びこれに対応する被係合部材の数は１つに限定されるものではなく、これらを複数備えた構成としてもよい（これらに対応する遮蔽部材や、以下に示すロック部材等に関しても同様）。このようにすれば、不正解錠に対する防御性能のさらなる向上が図られる。
【０２９６】
また、上記「切離し」とは、遮蔽部材の本体部から蓋部が取り除かれること（切除）を意味し、「切開き」とは、蓋部の一部が遮蔽部材の本体部と連結された状態のまま開口部が形成されることを意味している（遮蔽部材の本体部に固定された別体の蓋部の取外し等を含む）。
【０２９７】
また、錠部材の例としては、鍵が挿入されて回動操作されるシリンダ錠などが挙げられる。勿論、錠部材はシリンダ錠に限定されるものではなく、この他、カードキーのような鍵を用いて操作されるものであってもよい。
【０２９８】
また、鉤部材及び被係合部材の「係合（係合状態）」とは、扉体の閉状態において、少なくとも扉体を開放する方向（例えば前方向）に動かした場合に、当該鉤部材及び被係合部材が接触し、両者が扉体の開放を規制する位置関係にある状態を指す。従って、鉤部材及び被係合部材の「係合」には、常時、両者が当接している場合のみではなく、動作性等を考慮して両者間に所定のクリアランス（遊び）を設けて、扉体の閉状態においては両者が離間している場合も含む。例えば、扉体の開閉方向である前後方向に対し、係合状態にある鉤部材及び被係合部材の間に所定のクリアランスが設定され、扉体の閉状態においては、鉤部材及び被係合部材が前後方向に対し当接してはいないが、扉体を開放しようと動かした場合には、両者が係り合う構成となっていればよい。逆に、鉤部材及び被係合部材の「非係合（非係合状態）」とは、扉体を開閉方向に動かした場合に、鉤部材及び被係合部材が接触しない位置関係、又は接触しつつも扉体を開放可能な位置関係にある状態を指す。
【０２９９】
手段２．前記遮蔽部材は、所定の固定手段により前記固定枠に固定される金属製の第１カバー部材と、当該第１カバー部材に組付けられ、前記蓋部を有する樹脂製の第２カバー部材とから構成されていることを特徴とする手段１に記載の遊技機。
【０３００】
上記手段２によれば、蓋部を有する第２カバー部材を除く部分を、金属製の第１カバー部材で構成することにより、不正解錠に対する十分な防御性能を確保することができる。また、蓋部を切離す等して使用した場合でも、当該使用済みの第２カバー部材のみを、未使用の新たな第２カバー部材に取り替えるだけで元の状態に戻すことができる。従って、遮蔽部材全体を交換する必要がなく、リサイクル性に優れる。
【０３０１】
手段３．少なくとも前記第１カバー部材の前記固定枠への取付状態において、前記第２カバー部材が前記第１カバー部材から取外し不能となることを特徴とする手段２に記載の遊技機。
【０３０２】
上記手段３によれば、上述した不正行為等の抑制効果をさらに高めることができる。なお、第２カバー部材が「取外し不能」とあるのは、第１カバー部材を固定枠から取外さない限り、第２カバー部材を取外すことができない又は極めて困難であるといった意味である。例えば、第２カバー部材に設けた係止片を第１カバー部材に係止することにより、両者が組付けられる構成において、第１カバー部材が固定枠に取付けられた状態では、第１カバー部材に係止された第２カバー部材の少なくとも１つの係止片が、固定枠に覆われることにより第１カバー部材の外部に非露出状態となり、第１カバー部材の外側から係止解除操作を行うことができなくなる構成などが一例として挙げられる。
【０３０３】
手段４．前記蓋部は、切断可能な連結部を介して、前記第２カバー部材の本体部と一体形成されていることを特徴とする手段２又は３に記載の遊技機。
【０３０４】
上記手段４によれば、別途、蓋部を設ける工程を省略でき、部品点数の増加を抑制することができる。
【０３０５】
手段５．前記第１カバー部材は、
前記鉤部材が挿通される鉤孔部を有する前壁部と、
前記前壁部の周縁部から後方へ延出した周壁部とを備え、
前記第２カバー部材は、
前記第１カバー部材の後側の開口部を塞ぐように取付けられることを特徴とする手段２乃至４のいずれかに記載の遊技機。
【０３０６】
上記手段５によれば、鉤部材が挿通する孔部を除き、実質的に上下、左右、前後の６方向からの線材等の侵入を防止することができ、不正解錠に対する防御性能が格段に向上する。
【０３０７】
手段６．前記被係合部材と前記遮蔽部材とを一体としたことを特徴とする手段１乃至５のいずれかに記載の遊技機。
【０３０８】
上記手段６によれば、被係合部材と遮蔽部材とを一体とすることにより、部品点数の削減を図るとともに、構成の簡素化を図ることができる。
【０３０９】
手段７．前記開口部を介して、前記鉤部材と前記被係合部材との係合状態の解除操作を可能としたことを特徴とする手段１乃至６のいずれかに記載の遊技機。
【０３１０】
上記手段７によれば、遮蔽部材を取外すことなく、開口部を介して、遮蔽部材の外部から鉤部材の解除操作を行うことができる。例えば「前記開口部を介して前記遮蔽部材の内部へ所定の工具を挿入し、当該工具を用いて前記遮蔽部材の外部から前記鉤部材と前記被係合部材との係合状態の解除操作を行う」ことができる。
【０３１１】
手段８．前記鉤部材は、所定の工具を係合可能な工具係合部を備えていることを特徴とする手段１乃至７のいずれかに記載の遊技機。
【０３１２】
上記手段８によれば、鉤部材にドライバー等の工具を係合可能な部位が形成されていることにより、遮蔽部材内部にある鉤部材に対し、外部から開口部を介して工具を係合させた状態で、当該工具を操作して、鉤部材の解除操作を行うことができる。従って、不正行為を抑止するため、開口部の大きさを比較的小さめに設定した場合でも、遮蔽部材外部から比較的容易に鉤部材の解除操作を行うことができる。
【０３１３】
手段９．前記施錠装置は、
少なくとも前記鍵の操作に応じた前記錠部材の動作に連動して、前記扉体の閉時において前記鉤部材の解錠方向への動きを規制する第１状態（第１位置）と、前記鉤部材の解錠方向への動きを許容する第２状態（第２位置）へ変化可能（変位可能）なロック部材を備え、
前記遮蔽部材は、前記鉤部材とともに前記ロック部材を囲む構成となっていることを特徴とする手段１乃至８のいずれかに記載の遊技機。
【０３１４】
上記手段９によれば、ロック部材を備えることにより、扉体の閉時時において、鍵を用いずに線材等によって鉤部材に対し直接の解錠操作、すなわち不正な解錠操作が行われた場合には、鉤部材の解錠方向への動きが規制される。つまり、鉤部材は係合位置に維持されるため、扉体の開放は許容されない。
【０３１５】
また、仮に線材等を用いてロック部材を状態変化させるとともに、鉤部材を不正に解錠操作しようとした場合には、鉤部材とロック部材とにそれぞれ引っ掛けた線材等を少なくとも２方向に操作しなければならないため、不正解錠操作が行いにくくなる。結果として、線材等を用いた不正解錠に対する防御性能が格段に向上する。
【０３１６】
また、上記遮蔽部材を備えることにより、被係合部材に係合される鉤部材に対し線材等を引っ掛けにくくなるとともに、ロック部材に対しても線材等を引っ掛けにくくなる。結果として、不正解錠に対する防御性能のさらなる向上を図ることができる。つまり、錠部材の故障時など正当な理由から、鍵を用いずに遊技機背面側から鉤部材を直接操作して被係合部材との係合状態を解除しなくてはならない状況となった場合には、遮蔽部材の蓋部を切離し又は切開き、そこに形成された開口部を介して、ロック部材を解除しつつ、鉤部材を操作して、その作業を行うことができる。つまり、正当な理由の下で行う作業の効率を妨げることなく不正行為のみをより確実に抑止することができる。
【０３１７】
上記ロック部材を備えたより具体的な構成として、例えば、以下に示す構成が挙げられる。
【０３１８】
手段１０．外郭を構成する固定枠と、
前記固定枠の前面側の左右一側部にて開閉可能に支持された扉体と、
前記扉体の左右他側部に沿って取付けられ、前記固定枠に対し前記扉体を施錠する施錠装置とを備えた遊技機であって、
前記施錠装置は、
前記扉体の左右他側部に沿って取付けられる取付部、及び、当該取付部から突設された支持部を具備する縦長の基枠と、
鍵により操作される錠部材と、
前記鍵の操作に応じた前記錠部材の動作に連動して上下方向に摺動可能なように前記支持部に沿って設けられた摺動部材と、
前記固定枠に設けられた被係合部材に対し係合されて前記扉体の開放を規制する係合位置と、前記被係合部材から離脱して前記扉体の開放を許容する非係合位置とに、上下方向に摺動可能な鉤部材と、
前記鉤部材を施錠方向である上下方向一方側へ付勢する付勢手段とを備え、
前記鉤部材が、前記係合位置から前記非係合位置へ、前記摺動部材の動作に連動して解錠方向である上下方向他方側へ摺動する構成であって、
前記鉤部材の動作に連動して上下方向に摺動可能に設けられるとともに、第１状態（第１位置）と第２状態（第２位置）とに変化可能なロック部材と、
前記ロック部材を前記第１状態に維持する維持手段とを備え、
前記鉤部材を前記解錠方向へ摺動させる前記摺動部材の動作に連動して、前記ロック部材が前記第１状態から前記第２状態へ状態変化する構成とするとともに、
前記係合位置にある鉤部材に対し、前記摺動部材以外から前記解錠方向への外力がかかった場合には、当該鉤部材とともに、前記ロック部材が前記第１状態を維持しつつ前記解錠方向へ摺動可能な構成とすることにより、
前記扉体の閉状態において、前記係合位置にある鉤部材に対し、前記摺動部材以外から前記解錠方向への外力がかかった場合には、前記第１状態に維持されたロック部材が前記被係合部材に係合されることによって、前記鉤部材の前記解錠方向への摺動が規制され、
前記鍵の操作に応じた前記錠部材の動作に連動して前記摺動部材が前記鉤部材を前記解錠方向へ摺動させる場合には、前記ロック部材が前記第１状態から前記第２状態へ状態変化することにより、当該ロック部材が前記被係合部材に係合されずに、前記鉤部材の前記解錠方向への摺動が許容される構成とするとともに、
前記被係合部材及びこれに係合される前記鉤部材並びに前記ロック部材を囲む遮蔽部材を備えるとともに、
前記遮蔽部材の一部に切離し又は切開き可能な蓋部を備えることにより、当該遮蔽部材に開口部を形成可能としたことを特徴とする遊技機。
【０３１９】
上記手段１０によれば、上記手段１及び手段９と同様の作用効果が奏される。勿論、手段１０に対しても、上記手段２乃至８のいずれかの構成と同様の構成を従属構成として採用することができる。
【０３２０】
なお、上記「左右一側部」とは、左右方向における一方側を指し、「左右一側部」が例えば「右側部」であれば、「左右他側部」は「左側部」となる。逆に、「左右一側部」が「左側部」であれば、「左右他側部」は「右側部」となる。
【０３２１】
また、鉤部材が「摺動部材の動作に連動して」動く構成には、摺動部材と鉤部材とが一体形成されたり、摺動部材に対しネジ等の固定手段により相対変位不能に固定されたりして、両者が一体的に動く構成なども含まれる。従って、鉤部材は、摺動部材と一体形成された構成や摺動部材に対し相対変位不能に固定された構成であってもよいし、摺動部材に対し相対変位可能に係合された構成でもよい。
【０３２２】
また、付勢手段が「鉤部材を施錠方向である上下方向一方側へ付勢する」構成としては、例えば鉤部材を直接的に付勢する構成や、摺動部材やロック部材等を介して間接的に付勢する構成等が挙げられる。
【０３２３】
また、ロック部材が「第１状態（第１位置）と第２状態（第２位置）とに変化」する構成としては、例えば回動変位する構成等が挙げられる。
【０３２４】
手段１１．前記鉤部材は、前記摺動部材に対し相対変位可能に組付けられるとともに、
前記ロック部材は、前記鉤部材に対し相対変位可能に組付けられていることを特徴とする手段１０に記載の遊技機。
【０３２５】
上記手段１１によれば、摺動部材に対し鉤部材が相対変位可能に組付けられることにより、仮に複数の鉤部材を設けた場合でも、摺動部材に対し個々の鉤部材を独立して摺動変位させることができる。従って、仮に不正な解錠操作によって鉤部材のいずれか１つに対し直接外力が加えられた場合でも、これに摺動部材が連動しないため、他の鉤部材は摺動せず、扉体の施錠状態が保持される。つまり、扉体の開放は許容されない。さらに、ロック部材が、鉤部材に対し相対変位可能に組付けられていることにより、ロック部材がより確実に鉤部材に連動して動き、鉤部材の摺動をより確実に規制することができる。結果として、不正解錠に対する防御性能がさらに向上する。
【０３２６】
手段１２．前記ロック部材は、所定の工具を係合可能な工具係合部を備えていることを特徴とする手段９乃至１１のいずれかに記載の遊技機。
【０３２７】
上記手段１２によれば、ロック部材にドライバー等の工具を係合可能な部位が形成されていることにより、遮蔽部材内部にあるロック部材に対し、外部から開口部を介して工具を係合させた状態で、当該工具を操作して、ロック部材の解除操作を行うことができる。従って、不正行為を抑止するため、開口部の大きさを比較的小さめに設定した場合でも、遮蔽部材外部から比較的容易にロック部材の解除操作を行うことができる。
【０３２８】
手段１３．前記工具を第１の方向へ操作して、前記ロック部材を前記第１状態から前記第２状態へと変化させつつ、前記第１の方向と交差する第２の方向へ前記工具を操作することにより、前記鉤部材を前記係合位置から前記非係合位置へと変化させる構成となっていることを特徴とする手段１２に記載の遊技機。
【０３２９】
上記手段１３によれば、線材等を用いた鉤部材及びロック部材の不正解錠操作に対しては困難性を維持しつつも、工具を介した正規の鉤部材及びロック部材の解錠操作に関しては比較的容易に行うことができる。つまり、不正解錠操作の場合には、鉤部材及びロック部材を操作する少なくとも２つの線材等が必要となるが、工具による正規の解錠操作の場合には、当該工具１つで鉤部材及びロック部材の両部材の操作を同時に行うことができる。
【０３３０】
以下に、上記各手段が適用される各種遊技機の基本構成を示す。
【０３３１】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０３３２】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０３３３】
Ｃ．上記各手段における前記遊技機、又は、上記各弾球遊技機は、パチンコ機又はパチンコ機に準ずる遊技機であること。
【０３３４】
Ｄ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【図面の簡単な説明】
【０３３５】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置を背面左側から見た斜視図である。
【図１１】施錠装置を正面左側から見た斜視図である。
【図１２】施錠装置の背面図である。
【図１３】施錠装置の右側面図である。
【図１４】施錠装置の左側面図である。
【図１５】施錠装置の正面図である。
【図１６】背面側から見た施錠装置の分解図である。
【図１７】側面側から見た施錠装置の分解図である。
【図１８】鍵の非挿入時におけるシリンダ錠を示す断面図である。
【図１９】鍵の挿入時におけるシリンダ錠を示す断面図である。
【図２０】（ａ）は、摺動杆が上方へ摺動した状態における施錠装置を背面左側から見た斜視図であり、（ｂ）は、その状態における施錠装置を正面左側から見た斜視図である。
【図２１】（ａ）は、摺動杆が下方へ摺動した状態における施錠装置を背面左側から見た斜視図であり、（ｂ）は、その状態における施錠装置を正面左側から見た斜視図である。
【図２２】受け金具に係合された内鉤部材を示す部分拡大斜視図である。
【図２３】受け金具に係合された前鉤部材を示す部分拡大斜視図である。
【図２４】受け金具及び樹脂カバーを正面左側から見た分解斜視図である。
【図２５】受け金具及び樹脂カバーを正面右側から見た分解斜視図である。
【図２６】受け金具及び樹脂カバーを背面左側から見た分解斜視図であり。
【図２７】受け金具及び樹脂カバーを背面右側から見た分解斜視図である。
【図２８】（ａ）組付け状態の受け金具及び樹脂カバーを正面左側から見た斜視図であり、（ｂ）はそれを正面右側から見た斜視図であり、（ｃ）はそれを背面左側から見た斜視図であり、（ｄ）はそれを背面右側から斜視図である。
【図２９】（ａ）は受け金具及び樹脂カバーに覆われた前鉤部材を示す部分拡大斜視図であり、（ｂ）は樹脂カバーから蓋部を切離した状態を示す図である。
【図３０】別の実施形態における施錠装置を背面左側から見た斜視図である。
【図３１】別の実施形態における施錠装置を正面左側から見た斜視図である。
【図３２】別の実施形態における施錠装置の背面図である。
【図３３】別の実施形態における施錠装置の右側面図である。
【図３４】別の実施形態における施錠装置の左側面図である。
【図３５】別の実施形態における施錠装置の正面図である。
【図３６】別の実施形態における施錠装置の背面側から見た分解図である。
【図３７】別の実施形態における施錠装置の側面側から見た分解図である。
【図３８】（ａ）は、摺動杆が上方へ摺動した状態における別の実施形態の施錠装置を背面左側から見た斜視図であり、（ｂ）は、その状態における施錠装置を正面左側から見た斜視図である。
【図３９】（ａ）は、摺動杆が下方へ摺動した状態における別の実施形態の施錠装置を背面左側から見た斜視図であり、（ｂ）は、その状態における施錠装置を正面左側から見た斜視図である。
【図４０】受け金具に係合された内鉤部材及び内ロック部材等を示す部分拡大斜視図である。
【図４１】受け金具に係合された前鉤部材及び前ロック部材等を示す部分拡大斜視図である。
【図４２】（ａ）は別の実施形態における受け金具を背面右側から斜視図であり、（ｂ）はそれを正面左側から見た斜視図であり、（ｃ）はそれを背面左側から見た斜視図であり、（ｄ）はそれを正面右側から見た斜視図である。
【図４３】内鉤部材及び内ロック部材が受け金具に係止されるとともに、前鉤部材及び前ロック部材が受け金具に係止された状態を示す部分拡大図である。
【図４４】内枠の開放状態において、内鉤部材及び内ロック部材が上方に摺動した状態を示す部分拡大図である。
【図４５】（ａ）は、内枠を解錠するに際し、内ロック部材が基準位置より変位した状態を示す部分拡大図であり、（ｂ）は、それに続き内鉤部材及び内ロック部材が上方に摺動した状態を示す部分拡大図である。
【図４６】前面枠セットの開放状態において、前鉤部材及び前ロック部材が下方に摺動した状態を示す部分拡大図である。
【図４７】（ａ）は、前面枠セットを解錠するに際し、前ロック部材が基準位置より変位した状態を示す部分拡大図であり、（ｂ）は、それに続き前鉤部材及び前ロック部材が下方に摺動した状態を示す部分拡大図である。
【図４８】（ａ）〜（ｄ）は、工具を用いた内枠の解錠操作を説明するための部分拡大断面図である。
【図４９】（ａ）は別の実施形態における受け金具を背面右側から斜視図であり、（ｂ）はそれを正面左側から見た斜視図であり、（ｃ）はそれを背面左側から見た斜視図であり、（ｄ）はそれを正面右側から見た斜視図である。
【図５０】（ａ）は別の実施形態における受け金具を背面右側から斜視図であり、（ｂ）はそれを正面左側から見た斜視図であり、（ｃ）はそれを背面左側から見た斜視図であり、（ｄ）はそれを正面右側から見た斜視図である。
【図５１】（ａ）〜（ｃ）は、別の実施形態における蓋部を開ける工程を説明するための部分拡大断面図である。
【図５２】別の実施形態における内鉤部材等を示す部分拡大斜視図である。
【図５３】別の実施形態における内鉤部材等を示す部分拡大斜視図である。
【符号の説明】
【０３３６】
１０…パチンコ機、１１…外枠、１２…内枠、１４…前面枠セット、８３…受け金具、６００…施錠装置、６１３，６１４…内鉤部材、７００…シリンダ錠、８０１…樹脂カバー、８０１ｑ…蓋部、８０１ｒ…破断部。
【図１】
2010005369.tif 000003
【図２】
2010005369.tif 000004
【図３】
2010005369.tif 000005
【図４】
2010005369.tif 000006
【図５】
2010005369.tif 000007
【図６】
2010005369.tif 000008
【図７】
2010005369.tif 000009
【図８】
2010005369.tif 000010
【図９】
2010005369.tif 000011
【図１０】
2010005369.tif 000012
【図１１】
2010005369.tif 000013
【図１２】
2010005369.tif 000014
【図１３】
2010005369.tif 000015
【図１４】
2010005369.tif 000016
【図１５】
2010005369.tif 000017
【図１６】
2010005369.tif 000018
【図１７】
2010005369.tif 000019
【図１８】
2010005369.tif 000020
【図１９】
2010005369.tif 000021
【図２０】
2010005369.tif 000022
【図２１】
2010005369.tif 000023
【図２２】
2010005369.tif 000024
【図２３】
2010005369.tif 000025
【図２４】
2010005369.tif 000026
【図２５】
2010005369.tif 000027
【図２６】
2010005369.tif 000028
【図２７】
2010005369.tif 000029
【図２８】
2010005369.tif 000030
【図２９】
2010005369.tif 000031
【図３０】
2010005369.tif 000032
【図３１】
2010005369.tif 000033
【図３２】
2010005369.tif 000034
【図３３】
2010005369.tif 000035
【図３４】
2010005369.tif 000036
【図３５】
2010005369.tif 000037
【図３６】
2010005369.tif 000038
【図３７】
2010005369.tif 000039
【図３８】
2010005369.tif 000040
【図３９】
2010005369.tif 000041
【図４０】
2010005369.tif 000042
【図４１】
2010005369.tif 000043
【図４２】
2010005369.tif 000044
【図４３】
2010005369.tif 000045
【図４４】
2010005369.tif 000046
【図４５】
2010005369.tif 000047
【図４６】
2010005369.tif 000048
【図４７】
2010005369.tif 000049
【図４８】
2010005369.tif 000050
【図４９】
2010005369.tif 000051
【図５０】
2010005369.tif 000052
【図５１】
2010005369.tif 000053
【図５２】
2010005369.tif 000054
【図５３】
2010005369.tif 000055